(57)【要約】【課題】  透明板保持枠、打球供給皿の取付基板、あるいは余剰玉受皿の取付基板等の弾球遊技機の前面側に配置される構成部材の強度を向上し、穴空けによる不正行為を防止し得る弾球遊技機を提供することにある。【解決手段】  遊技盤１００の遊技領域１０２を透視し得る遊技開口１３３を有すると共に該遊技開口１３３に対応してガラス１３１を装着可能とする透明板保持枠１３０を合成樹脂製の主枠構成部材１３２により構成し、該主枠構成部材１３２の左右前面に補強枠部材１７１・１７６を装着することにより、透明板保持枠１３０が基本的に二重基板の構造を持つことになるため、透明板保持枠１３０の強度が向上でき、タバコやライター等の発熱具による不正の穴空け行為を防止することができる。【選択図】        図２
2006142060.tif 000002
【特許請求の範囲】
【請求項１】
遊技盤の遊技領域を透視し得る遊技開口を有すると共に該遊技開口に対応して透明板を装着可能とする透明板保持枠を枠基体に対して開閉自在に設けた弾球遊技機において、
前記透明板保持枠は、前記遊技開口を規制する開口が形成される合成樹脂製の主枠構成部材により構成されると共に、該主枠構成部材の前面側の左右側部に、その前面を被覆するカバー部材を設けたことを特徴とする弾球遊技機。
【発明の詳細な説明】
【技術分野】
【０００１】
本発明は、遊技盤の遊技領域を透視し得る遊技開口を有すると共に該遊技開口に対応して透明板を装着可能とする透明板保持枠を枠基体に対して開閉自在に設けた弾球遊技機に関するものである。
【背景技術】
【０００２】
従来、遊技盤の遊技領域を透視し得る遊技開口を有し、該遊技開口に対応して透明板（例えば、ガラス板）を装着することが可能な透明板保持枠としては、額縁状に形成された木製の前面枠の開口周縁に固定される金属製の扉保持枠（俗に「金枠」と称されている）に開閉自在に取付けられる金属製のガラス扉保持枠が唯一市場に提供されていた。このガラス扉保持枠は、正面から見てクロムメッキを施した正方形状の枠組みが視認され得るのみで、その形状及び態様は、過去２０年以上に亘って変化していなかった。そこで、本出願人は、先に特願平６−２８９６５号（以下、先行技術という）で、透明板保持枠の高度な装飾化を図るべく、遊技開口を規制する開口が形成される合成樹脂製の主枠構成部材にて透明板保持枠を構成することを提案した。
【特許文献１】特願平６−２８９６５号
【発明の開示】
【発明が解決しようとする課題】
【０００３】
ところが、上記した先行技術では、主枠構成部材を合成樹脂製の一枚板によって形成していたので、透明板保持枠としての強度が低く熱変形し易いため、タバコやライター等の発熱具により穴を空ける不正行為が比較的容易に行えるという欠点があった。また、透明板保持枠に限らず弾球遊技機の前面側に配置される打球供給皿（属に「上皿」と称される）の取付基板や余剰玉受皿（属に「下皿」と称される）の取付基板についても同様に上記した欠点を有するため、比較的容易に不正行為が行われていた。本発明は、上記した事情に鑑みなされたもので、その目的とするところは、透明板保持枠、打球供給皿の取付基板、あるいは余剰玉受皿の取付基板等の弾球遊技機の前面側に配置される構成部材の強度を向上し、穴空けによる不正行為を防止し得る弾球遊技機を提供することにある。
【課題を解決するための手段】
【０００４】
上記した目的を達成するために、本発明においては、
遊技盤の遊技領域を透視し得る遊技開口を有すると共に該遊技開口に対応して透明板を装着可能とする透明板保持枠を枠基体に対して開閉自在に設けた弾球遊技機において、
前記透明板保持枠は、前記遊技開口を規制する開口が形成される合成樹脂製の主枠構成部材により構成されると共に、該主枠構成部材の前面側の左右側部に、その前面を被覆するカバー部材を設けたことを特徴とするものである。
【発明の効果】
【０００５】
請求項１に係る発明において、透明板保持枠は、遊技開口を規制する開口が形成される合成樹脂製の主枠構成部材により構成されると共に、該主枠構成部材の前面側の左右側部に、その前面を被覆するカバー部材を設けたので、透明板保持枠を二重基板の構造にすることができ、ひいては透明板保持枠の強度を向上して穴空けによる不正行為を防止することができる。
【発明を実施するための最良の形態】
【０００６】
以下、図面を参照して、本発明の実施例について説明する。まず、実施例の要部を構成する透明板保持枠１３０を有する弾球遊技機１の構成について図１乃至図１２を参照して説明する。図１は、弾球遊技機１の正面図であり、図２は、枠基体１０の分解斜視図であり、図３は、透明板保持枠１３０を枠基体１０に取付けた状態での透明板保持枠１３０を開放した状態を示す斜視図であり、図４は、上皿４０の分解斜視図であり、図５は、下皿６０及び灰皿７４の分解斜視図であり、図６は、灰皿７４の断面図であり、図７（Ａ）（Ｂ）は、各々、灰皿７４の回転動作を示す説明図であり、図８は、遊技盤１００及び機構板９０を取付けた状態での枠基体１０の背面図であり、図９は、遊技盤１００を示す拡大正面図であり、図１０は、図１のＡ−Ａ線矢視断面図であり、図１１は、図１のＢ−Ｂ線矢視断面図であり、図１２は、図１のＣ−Ｃ線矢視断面図である。
【０００７】
（１）弾球遊技機の全体構造
本実施例における弾球遊技機１としては、弾発された打玉が遊技盤１００に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（属にアレンジ遊技機と称される）であってもよい。しかして、弾球遊技機１は、図３に示すように、縦長な方形状に枠組み形成される外枠２と、該外枠２の一側に開閉自在に軸支され且つ弾球遊技機１の主要構成部のほぼすべてが集約して設けられる枠基体１０と、該枠基体１０の前面上部に開閉自在に設けられ且つ本実施例の要部を構成する透明板保持枠１３０とから構成されている。
【０００８】
（１−１）外枠
外枠２は、木製の板材を枠組み構成することにより形成され、その一側上下に固着される軸支用金具３に枠基体１０が開閉自在に軸支される。なお、下部の軸支用金具３は、次に説明する当て板４の上部に固着される。また、外枠２の下部前面には、閉じたときに枠基体１０の下辺部を載置する当て板４が固定されている。この当て板４は、図２に示すように、その中央部に前方突出面４ａが形成されており、左右の各凹面４ｂ・４ｃには、それぞれカバー部材５ａ・５ｂがビス止め固定されるようになっている。更に、外枠２の開放側の内側上下には、後に詳述する錠装置１９０と係脱して枠基体１０を閉じたり開放したりするための係止金具６（図３参照）が固着されている。この係止金具６と錠装置１９０との関係については、後に詳述する。なお、当て板４を含む外枠２を木製の板材ではなく、合成樹脂によって一体成形又は別体に成形して組み立てて構成しても良い。
【０００９】
（１−２）枠基体
上記した外枠２に開閉自在に取付けられる枠基体１０は、合成樹脂によって一体成形されるものであり、図２に示すように、その上部にほぼ正方形状の開口部１１が形成され、その下部が板状となっている。つまり、枠基体１０は、従来の合板によって形成された前面枠とほぼ同等のものであるが、従来の前面枠と相違する点は、枠基体１０の裏面であって遊技盤１００を収納固定する遊技盤収納枠１２（図２及び図３参照）が枠基体１０と一体的に形成されている点である。即ち、従来の前面枠と遊技盤収納枠との関係においては、木製の前面枠の裏面に合成樹脂製の遊技盤収納枠を固着しているのに対し、本実施例における枠基体１０は、前面枠に相当する部分も合成樹脂で形成されているので、遊技盤収納枠１２を含む全体を合成樹脂によって一体成形したものであり、これによって工場における組付け作業の簡略化を達成することができるものである。
【００１０】
ところで、上記遊技盤収納枠１２の下方部分も、図２に示すように、板状に形成されており、その一側上部に上皿連通口１３が形成され、該上皿連通口１３の下部前方に溢れ玉誘導部材１４が取着される。溢れ玉誘導部材１４の下流側前方には、抜き玉連通口１５が形成されている。この抜き玉連通口１５は、後述する上皿４０に貯留されていた玉であって玉抜きされた玉が溢れ玉誘導部材１４の内部に流入するための流入口である。また、溢れ玉誘導部材１４は、上皿４０を開放したときに前記上皿連通口１３から溢れた玉や抜き玉連通口１５から流入した玉を遊技盤収納枠１２の下方の板状部分のほぼ中央に形成された下皿誘導口（図示しない）から裏面側に導いて玉誘導路（図示しない）を介して後述する下皿６０に導くものである。
【００１１】
また、遊技盤収納枠１２の下方の板状部分の前面であって前記溢れ玉誘導部材１４の側方には、発射点レール１６が固着されている。この発射点レール１６は、上皿４０から１個宛供給される打玉を下流端に形成される発射点で受け止めて後述する発射装置１２０の打球槌１２２で弾発するために設けられるものである。そして、発射点レール１６の上流端と遊技盤１００に設けられる誘導レール１０１の下流端との間にファール口が形成され、遊技盤１００の遊技領域１０２に到達することなく戻ってきた打玉がファール口から前記溢れ玉誘導部材１４に受け入れられて最終的に下皿６０に導かれるものである。
【００１２】
一方、図２に示すように、枠基体１０の左右の両端側には、それぞれ検出器取付穴１７・１８が貫通形成されている。この検出器取付穴１７・１８は、その裏面から検出器を取付けるものであり、図示の実施例では、軸支側に形成される検出器取付穴１７には、図２及び図３に示すように検出器１９のアクチュエータが前面側に突出しており、透明板保持枠１３０を開放したときに検出器１９が開放状態を検出し、遊技機本体もしくはホールコンピュータに検出信号を出力するようになっている。また、開放側に形成される検出器取付穴１８には、図示の実施例では検出器が設けられていないが、設けるとすれば、例えば、透明板保持枠１３０を僅かに開放してセル板やピアノ線等の不正具を挿入する不正行為を検出するための不正開放検出器等が考えられる。
【００１３】
更に、枠基体１０の前面枠部分の開口部１１に対応する部分には、軸支側下部に配線通し穴２０（図３参照）、開放側上下にフック連通穴２１、軸支側中程に干渉回避凹部２２、軸支側の中程上下にヒンジ取付凹部２３・２４（図２参照）、開放側の中程よりやや下方に錠穴２５（図２参照）がそれぞれ形成されている。配線通し穴２０は、透明板保持枠１３０に設けられる後述する電装部品から延びる配線を枠基体１０の裏面側に通すものである。また、フック連通穴２１は、透明板保持枠１３０の開放側に設けられる補強金具１４９の錠フック１４９ａ（後に詳述する）を後方に貫通させて錠装置１９０の係合開口と係合させるものである。干渉回避凹部２２は、透明板保持枠１３０を閉じたときにランプ基板１６０を裏面側から被覆する円弧状の基板カバー１６９の一部との当接状態を回避するためのものであり、このため、干渉回避凹部２２は、円弧状に刻設されている。また、錠穴２５には、錠装置１９０のシリンダー錠１９２が挿入されるものである。
【００１４】
（１−３）枠基体への透明板保持枠及び上皿の取付構造
また、前記ヒンジ取付凹部２３・２４は、それぞれ金属製のヒンジ部材２６・２７を止着する領域である。ヒンジ取付凹部２３（以下、中ヒンジ取付凹部２３という）に止着されるヒンジ部材２６（以下、中ヒンジ部材２６という）は、Ｌ字型に形成され、その水平面にヒンジピン２８が上下に貫通するように固着されている。ヒンジ取付凹部２４（以下、下ヒンジ取付凹部２４という）に止着されるヒンジ部材２７（以下、下ヒンジ部材２７という）は、Ｌ字型に形成され、その水平面に係合穴２７ａ（図２参照）が形成されている。また、枠基体１０の軸支側上部にもヒンジ部材２９（以下、上ヒンジ部材２９という）が止着されるが、この上ヒンジ部材２９は、枠基体１０の裏面側から止着されるようになっている。また、上ヒンジ部材２９は、枠基体１０の前面に当接し且つ係合穴３０ａを有するヒンジ支持部３０と、枠基体１０に対して垂直方向に突設される水平面の下方に向かって突設されるヒンジピン３１と、を備えて構成されるものである。
【００１５】
上記したヒンジ部材２６・２７・２９には、透明板保持枠１３０と上皿４０が取着される取付基板４１とが開閉自在且つ着脱自在に取付けられるものである。具体的には、まず、透明板保持枠１３０の着脱構造について説明すると、図２に示すように、透明板保持枠１３０の軸支側上端には、ヒンジピン１４６が後述するスプリング１４７の付勢力により上方に付勢されており、また、軸支側下端裏面には、係合穴１４８ａを有するヒンジ金具１４８がビスで止着されている。しかして、下部のヒンジ金具１４８の係合穴１４８ａに中ヒンジ部材２６のヒンジピン２８の上部突設側に差し込んだ状態で上端のヒンジピン１４６を付勢力に抗して押し下げてヒンジ支持部３０の係合穴３０ａに差し込むことにより、透明板保持枠１３０が枠基体１０に開閉自在に軸支される。逆に、透明板保持枠１３０を取り外す場合には、ヒンジピン１４６を押し下げて係合穴３０ａからヒンジピン１４６を抜き出した後に全体を持ち上げて係合穴１４８ａをヒンジピン２８から外すことにより簡単に行うことができる。なお、透明板保持枠１３０の開閉動作については、後に詳述する。
【００１６】
次に、上皿４０の取付基板４１の着脱構造について説明すると、図２に示すように、取付基板４１は、その軸支側上端に支点穴４２が設けられる一方、軸支側下端には、後述するカバー部材５１の支点穴５２が設けられている。しかして、上端の支点穴４２を中ヒンジ部材２６のヒンジピン２８の下部突設側に差し込み、その状態で下部の支点穴５２と下ヒンジ部材２７の係合穴２７ａとに図示しないスプリングで付勢されるヒンジピンを差し込むことで、上皿４０の取付基板４１が枠基体１０に開閉自在に軸支される。逆に、取付基板４１を取り外す場合には、支点穴５２と下ヒンジ部材２７の係合穴２７ａとに差し込まれたヒンジピンを抜き取り、その後、全体を下方に引き下げてヒンジピン２８から支点穴４２を引き抜くことにより簡単に行うことができる。
【００１７】
このように、透明板保持枠１３０や上皿４０の取付基板４１を枠基体１０に対して開閉自在であり且つ着脱自在に設けたので、弾球遊技機１の工場における組付け作業や遊技場における点検作業時を簡単に行うことができる。特に、本実施例のように、透明板保持枠１３０に電装部品を備えたものにあっては、電装部品等の故障に基づく修理・交換が必要となることが予想され、そのように予想される場合において、従来の透明板保持枠（ガラス板保持枠）が着脱できない構造のものに比べて、透明板保持枠１３０を取り外すことができるので、修理・交換を簡単に行うことができる。
【００１８】
（１−４）上皿
ここで、取付基板４１に取着固定される上皿４０の構成について図４を参照して説明すると、上皿４０は、合成樹脂製の取付基板４１の表面に合成樹脂製の皿部材４７と各カバー部材５１・５４とを固着することにより構成されている。取付基板４１には、軸支側上端の前記支点穴４２に加えて、各種構成部材４７・５１・５４の取付穴４３と、皿部材４７の配線４８を遊技機１側に接続するための配線挿通穴４４と、軸支側に形成されて皿部材４７の貯留誘導部４９に景品玉又は購入した遊技玉を排出させる景品玉排出口４５と、が穿設されると共に、開放側の上端に玉抜き操作レバー４６が設けられている。この玉抜き操作レバー４６は、左右方向に移動可能に設けられ、図示しないスプリングの付勢力に抗して一方向に移動させることにより、前記貯留誘導部４９の下流端に設けられる開閉弁（図示しない）を開放して貯留誘導部４９に貯留されていた玉を取付基板４１の裏面に形成される玉抜き通路（図示しない）を流下させて前記抜き玉連通口１５に導き、最終的に下皿６０に誘導するものである。なお、景品玉排出口４５は、取付基板４１を閉じたときに前記上皿連通口１３と連通するようになっている。一方、皿部材４７は、複数の部材を組み立てた状態で取付基板４１の表面に一体として取着固定されているものであるが、その上端面には、前記配線４８に接続されたＣＲ用の各種スイッチ５０が設けられている。なお、ＣＲ用の各種スイッチ５０とは、現金に換えてこれに対応する金額情報を記録したプリペードカードを弾球遊技機１に用いる際、該プリペードカードからの玉貸し等を遊技客が手動操作にて行うためのものである。また、カバー部材５１・５４は、各々、裏面に突設された取付ボス５３・５５が取付基板４１の取付穴４３に係合されることで、皿部材４７の左右両側に取付け固定されるようになっている。なお、カバー部材５４の開放側端部には、前記錠穴２５と連通する錠穴５７が穿設されたカバー部材５６が前記枠基体１０に取付け固定されている。
【００１９】
また、皿部材４７の左右両側に取付けられる各カバー部材５１・５４・５６は、取付基板４１の前面に配されて遊技客の不正行為を防止すると共に、弾球遊技機１を正面から見たときに透明板保持枠１３０と取付基板４１とを明瞭に区別させない意匠にて形成されることで、装飾的に弾球遊技機１の全体が統一化された印象を与えるようになっている。なお、図１に示すように、皿部材４７の内部であって前方下部には、圧電ブザー５８が臨設され、前記ＣＲ用スイッチ５０の押圧操作に伴う効果音を発生するようになっている。また、取付基板４１の開放側裏面には、枠基体１０に対して取付基板４１を施錠する錠装置５９が設けられている。この錠装置５９は、取付基板４１に上下動可能に取付けられた可動部材５９ａと、該可動部材５９ａを常時上方に付勢するスプリング５９ｄ（図１２参照）と、を備えており、可動部材５９ａには、その上端に施錠解除用の押圧操作部５９ｂ（図４参照）が形成される一方、下端には枠基体１０側に設けられた係止片１０ａ（図１２参照）と係合する係合爪５９ｃ（図１２参照）が形成されている。なお、錠装置５９の前面側は、前述のように取付基板４１とカバー部材５４との二重基板の構造をなしており、タバコやライター等の発熱具による穴空けを防止して、錠装置５９に対する不正操作を防止し得るようになっている。
【００２０】
（１−５）下皿
枠基体１０の前面枠部分の下方部分は、図２に示すように、板状に形成されており、その前面のほぼ全域に係合凹部３２が刻設されている。この係合凹部３２は、後に詳述する下皿６０やハンドル装置８０を組付け固定する際に一応の位置決めを行うものであり、組付け作業の容易化を図ることができるものである。また、係合凹部３２には、そのほぼ中央に下皿連通口３３が、その開放側よりの側部にハンドル作動開口３４がそれぞれ開設形成されている。下皿連通口３３には、これに対応して開口部３５ａを備えたカバー部材３５と下皿６０とが取付けられるが、その下皿６０は、複数の部材を組み立てた状態でセット化されて枠基体１０の下部中央に止着固定されているものである。以下、下皿６０の構成について説明する。
【００２１】
下皿６０は、図５に示すように、下皿基体６１と、該下皿基体６１に取付けられて前記下皿連通口３３から流下する玉を貯留する玉受部材６６と、該玉受部材６６から貯留玉を抜き取る玉抜き装置６９と、を備えている。下皿基体６１には、その裏面側に取付ネジ６２が後方に向けて複数本設けられており、その取付ネジ６２を枠基体１０側の取付穴３６（図２参照）にナット止めすることで下皿６０が枠基体１０に取付け固定されるようになっている。なお、下皿基体６１の下端面には、後方に向けて位置決め凸部６３が突設されており、この位置決め凸部６３を枠基体１０側の位置決め穴３７（図２参照）に差し込むことで、下皿連通口３３と玉受部材６６との接続状態を確実に確保すると共に下皿６０の取付作業の容易化を招来している。
【００２２】
また、下皿基体６１の前面壁には、レバー操作穴６４が穿設されると共にその裏面側の上下２箇所にレバーガイド６５が設けられて、玉抜き装置６９を構成する玉抜き操作レバー７０がスライド可能に取付けられるようになっている。一方、玉受部材６６には、該玉受部材６６を下皿基体６１にビス止めするための取付穴６７が穿設されると共に、下面に玉抜き穴６８が穿設されており、この玉抜き穴６８には、玉抜き装置６９が臨設されている。玉抜き装置６９は、前記玉抜き穴６８を開閉する開閉蓋７１と、該開閉蓋７１を摺動自在に収納し且つ前記玉抜き穴６８に対応する玉抜き穴７３ａが形成されたカバー部材７３と、から構成され、開閉蓋７１は、カバー部材７３内に収納支持されるスプリング７２によって常に玉抜き穴７３ａとの間に挿入された状態に付勢されている。開閉蓋７１は、その前面側に突設される係合凸部７１ａが前記玉抜き操作レバー７０の下部中央に突設される係合凸部７０ａに係合され、スプリング７２の付勢力に抗して玉抜き操作レバー７０が一方向に移動されることで、一連の玉抜き穴６８・７３ａを連通して、玉受部材６６に貯留される打玉を下方（通常、玉箱が設置される）に落下せしめるようになっている。なお、玉抜き装置６９は、玉受部材６６の仮面から突設される取付ボス６６ｂにビスで止着されることにより取付けられている。このように、図示の実施例においては、玉抜き操作レバー７０を下皿６０の前面壁の中央に内蔵して設けたので、従来のように操作レバーを下皿の底面に沿って設けたものに比較して外部からのイタズラによって故障せしめられることが少なくなるという利点がある。
【００２３】
（１−６）灰皿
また、上記下皿６０の下皿基体６１には、図５に示すように、前記玉受部材６６の隣接位置に灰皿取付部６１ａが切欠形成されており、該灰皿取付部６６ａには、熱硬化性樹脂からなる灰皿７４がカバー部材７６を介して取付けられるようになっている。カバー部材７６は、灰皿７４側のビス止めボス７５を介して灰皿７４と一体的に取付け固定されており、その前面形状は、下皿基体６１の前面形状と連続的な意匠をなしている。また、カバー部材７６の左右両端には、後方に向かって取付突片７７が形成されており、該取付突片７７には、縦長形状の係合穴７８が穿設されている。そして、この係合穴７８が下皿基体６１及び玉受部材６６に突設された係合凸部６１ｂ・６６ａに係合されることで、図６に示す状態で灰皿７４が下皿基体６１に取付けられる。なお、このような係合穴７８と係合凸部６１ｂ・６６ａとの係合は、灰皿７４を下皿基体６１から引き上げた状態でのみ灰皿７４の完全回動を可能にするものである。即ち、図６に示すように、灰皿７４が下皿基体６１にセットされた状態で灰皿７４を回転させた場合では、カバー部材７６の下面後端部７６ａと下皿基体６１の下面前端部６１ｃとの間隔Ｌ１分しか回転しないのに対して、図７（Ａ）に示すように、灰皿７４を下皿基体６１から引き上げた状態では、カバー部材７６の下面後端部７６ａは下皿基体６１の下面前端部６１ｃに当接することがないので、図７（Ｂ）に示すように、灰皿７４を完全に回転させることができる。このように、本実施例では、灰皿７４を下皿基体６１から引き上げた状態でのみ灰皿７４の完全回動を可能にすることで、誤って灰皿７４を回転せしめることがなく、吸い殻等のゴミＧが遊技者の不注意により灰皿７４から落ちることを回避している。また、灰皿７４を取付けた下皿基体６１の左側方には、図２に示すように、カバー部材７９が前記枠基体１０に取付け固定されている。
【００２４】
（１−７）ハンドル装置
また、前記ハンドル作動開口３４に対応してハンドル装置８０が装着される。ハンドル装置８０は、前記上皿４０の側壁から装飾的に連続する取付基板８１に所謂ハンドルが突設されて構成されるものであり、その突設されるハンドルは、図２に示すように、取付基板８１に直接的に固定される外固定部８２と、該外固定部８２の前面側に固定される内固定部８３と、外固定部８２と内固定部８３との間で回動自在に設けられる可動部８４と、から構成されている。また、取付基板８１の裏面には、複数の取付ネジ８５が後方に向かって突設されており、取付ネジ８５をハンドル作動開口３４の周囲に穿設される取付穴３８に差し込んで裏面から発射装置１２０の取付基板１２１（図８参照）と共締めするようにナットで締着することにより、取付基板８１が枠基体１０に固定される。また、ハンドル作動開口３４の側方には、配線通し穴３９が形成されているが、これは、ハンドル装置８０内に設けられるスイッチ（メインスイッチやタッチセンサ）の配線８６を枠基体１０の裏面側に導くものである。
【００２５】
上記のように構成されるハンドル装置８０においては、可動部８４を回動せしめることにより、その回動操作が発射装置１２０側に伝達されて発射装置１２０の打球槌１２２の発射勢を変化させることができる。このため、可動部８４を所望の位置まで回動させた状態を手で保持することにより、打玉を一定の速度で弾発することが可能となる。なお、図示の実施例におけるハンドル装置８０は、取付基板８１（又は枠基体１０）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
【００２６】
（１−８）枠基体の裏面構造
枠基体１０の前面側構造及び前面側に取付けられる各部品の構造は、概ね上記した通りであるが、枠基体１０の裏面構造について図８を参照して説明する。前述したように、枠基体１０の裏面側には、遊技盤収納枠１２が合成樹脂によって一体的に成形されている。しかして、遊技盤収納枠１２は、遊技盤１００を支持し且つ固定するものであるため、遊技盤１００を正確に固定するための部品を有する。また、遊技盤収納枠１２は、遊技盤１００の裏面に設けられて所定個数の景品玉を払い出すための各種の機構が設けられる機構板９０を正確に取付けるための部品も有する。具体的には、遊技盤１００を収納固定する部品として複数の遊技盤基準ピン１８０（図１０参照）と複数の固定手段１８３（図１１参照）とがある。遊技盤基準ピン１８０は、遊技盤１００を遊技盤収納枠１２に装着する際に遊技盤１００の特定の位置に形成された基準位置穴１８１に係合させるものであり、これにより遊技盤１００を遊技盤収納枠１２の正確な位置に装着することができるものである。なお、枠基体１０における遊技盤収納枠１２の成形部位には、図１０に示すように、空洞部１８２が設けられている。この空洞部１８２は、遊技盤収納枠１２の一体成形において枠基体１０の表面側にヒケ（成形時の変形）が発生するのを防止するためのものであり、枠基体１０の成形時にガスを注入するガスインジェクション成形法により形成されるものである。また、固定手段１８３は、一端側が遊技盤収納枠１２に取付け固定され且つ他端側に螺合溝が形成されたボルトピン１８４と、該ボルトピン１８４に挿通されたワッシャ１８５、固定フック１８６、及びスプリング１８７と、ボルトピン１８４に螺着されたナット１８８と、から構成されている。そして、遊技盤１００を遊技盤収納枠１２に正確に装着した状態で、固定手段１８３の固定フック１８６を回動することにより、遊技盤１００の裏面から押圧して遊技盤１００を遊技盤収納枠１２に堅固に固定するようになっている。
【００２７】
一方、機構板９０を取付けるための部品としては、固定ピン９１と上下一対のヒンジ部材９２・９３とがある。ヒンジ部材９２・９３は、枠基体１０の軸支側の裏面に対応する遊技盤収納枠１２の上下に固着される金属製のものであり、このヒンジ部材９２・９３に機構板９０の端部上下に設けられる軸支部（図示しない）を係合させることにより機構板９０を開閉自在に且つ着脱自在に設けることができる。また、機構板９０を閉じた状態で固定ピン９１が機構板９０に形成された係合穴を通過して先端部が機構板９０の裏面に突出し、その突出した部分を機構板９０に回動自在に軸支される係止部材９４で係止することにより、機構板９０を遊技盤１００の裏面に密着した状態で係止することができる。
【００２８】
（１−９）遊技盤
次に、遊技盤収納枠１２に収納固定される遊技盤１００の構成について簡単に説明する。遊技盤１００は、図９に示すように、ほぼ正方形状の合板により形成され、その表面には、円形うず巻き状に誘導レール１０１が形成され、該誘導レール１０１の内側が遊技領域１０２とされて発射された打玉が落下するものである。遊技領域１０２には、図示の場合、可変表示装置１０３や可変入賞球装置１０４が設けられると共に、単に打玉を入賞とする入賞口、打玉の流下方向・速度を変化せしめる風車又は多数の障害釘が設けられ、また、遊技領域１０２の最下方には、いずれの入賞領域にも入賞しない打玉が取り込まれるアウト口１０５が設けられている。また、遊技盤１００の表面には、ビス止め固定された各種のシール添付部材１０６・１０７・１０８を介して機種名シール１０９、アミューズメントシール１１０、及び証紙シール１１１が取付けられている。
【００２９】
一方、遊技盤１００の裏面には、図８に示すように、前記可変表示装置１０３の後面構造物である表示装置収納ボックス１１２が表示装置取付金具１１３によって遊技盤１００の裏面に直接的に止着され、該表示装置収納ボックス１１２の周囲を囲むように入賞玉集合カバー体１１４が取付けられている。入賞玉集合カバー体１１４は、各種の入賞口や入賞球装置に入賞した入賞玉を所定の流路にしたがって誘導する誘導径路が形成されるものである。また、入賞玉集合カバー体１１４の裏面には、遊技盤１００に配置される入賞口や入賞球装置等に付設されるスイッチや装飾用発光源の電装部品の配線が接続される第１中継基板１１５と第２中継基板１１６（これらを１つの中継基板にまとめたものでも良い）とが取付けられている。第１中継基板１１５と第２中継基板１１６は、遊技盤１００に設けられる電装部品と後述する遊技制御基板１１８とを中継するために設けられるものである。更に、遊技盤１００の裏面には、前記アウト口１０５に対応する位置の下流側にアウト玉通路（図示しない）が刻設され、このアウト玉通路に沿ってアウト玉が下方に導かれる。アウト玉通路から下方に導かれたアウト玉は、前記遊技盤収納枠１２の下辺ほぼ中央に形成される玉誘導通路（図示しない）から機構板９０に形成されるアウト玉排出通路（図示しない）に導かれるようになっている。
【００３０】
（１−１０）機構板
一方、上記した遊技盤１００の裏面を覆う機構板９０は、図８に示すように、前記入賞玉集合カバー体１１４と対応する部分に方形状の開口９５が形成され、機構板９０が閉じられたときに、前記表示装置収納ボックス１１２が後方に貫通し得るようになっている。また、機構板９０の前面側には、主として前記入賞玉集合カバー体１１４に形成された誘導径路に沿って流下した入賞玉を集合せしめる入賞玉集合樋（図示しない）が形成されるが、機構板９０の後面側には、その最上部に景品玉として供される多量の玉を貯留する貯留タンク９６が取着され、該貯留タンク９６の下方に貯留タンク９６から流出する玉を複数列（例えば、２列）に整列しながら流下せしめる誘導通路９７が傾斜状に設けられ、該誘導通路９７の末端に前記開口９５の側方に配置され且つ前記誘導通路９７からの整列された玉を受け入れて入賞玉信号に基づいて所定個数の景品玉を払い出す景品玉払出装置９８が接続されている。景品玉払出装置９８から払い出された景品玉は、下流側に設けられる景品玉流出口（図示しない）から前記上皿連通口１３及び景品玉排出口４５を介して上皿４０の貯留誘導部４９に導かれる。上皿４０が景品玉で満杯となったときには、景品玉流出口の側方から下方部にかけて形成される余剰玉通路９９に溢れて下方に流下し、その余剰玉通路９９の末端に接続される前記玉誘導路３４から前記下皿６０の玉受部材６６に導かれる。なお、前記景品玉払出装置９８は、前記入賞玉集合樋に集められた入賞玉を１個ずつ処理する入賞玉処理装置（図示しない）が入賞玉を検出することにより駆動されるものである。
【００３１】
機構板９０の概の構成は、上記した通りであるが、図示の実施例では、機構板９０の裏面上部にターミナルボックス１１７が設けられ、更に、開口９５の下部に遊技制御基板１１８が着脱自在に取付けられている。ターミナルボックス１１７は、弾球遊技機１に電源を供給する電源線や弾球遊技機１と遊技場の管理コンピュータ（図示しない）との情報信号をやり取りするための端子等が設けられるものであり、遊技制御基板１１８は、遊技盤１００に設けられる可変表示装置１０３や可変入賞球装置１０４等の動作を制御するものである。このため、遊技制御基板１１８には、前記第１中継基板１１５及び第２中継基板１１６からの配線や、可変表示装置１０３からの配線が接続されるようになっている。なお、機構板９０を開閉する際には、これらの配線の接続を取り外すことが必要となる。
【００３２】
（１−１１）枠基体のその他の裏面構成
枠基体１０のその他の裏面構成としては、図８に示すように、枠基体１０の裏面下部一側に発射装置１２０が取付けられている。この発射装置１２０は、取付基板１２１に打玉を弾発する打球槌１２２と、該打球槌１２２に往復回動動作を付与する打球モータ１２３等を集約して設けることにより構成されており、前記ハンドル装置８０と関連づけられている。また、発射装置１２０の設置位置と反対側には、透明板保持枠１３０に設けられる電装部品の動作を制御し且つスピーカ１５５の音量を段階的に調整する音量調整スイッチ１２５を含む電飾制御基板１２４が取付けられている。そして、この電飾制御基板１２４と透明板保持枠１３０に設けられる電装部品とを接続する配線が乱雑にならないように枠基体１０の軸支側裏面一側には、配線処理部材１２６が設けられている。この配線処理部材１２６は、枠基体１０と一体的に成形しても良いし、あるいは別体の処理部材を止着しても良い。また、配線処理部材１２６の形状は、配線をまとめることができるものであればどのような形状・構造のものであっても良い。更に、枠基体１０の開放側裏面には、外枠２に対する枠基体１０の施錠、及び枠基体１０に対する透明板保持枠１３０の施錠を行う錠装置１９０が取付けられるが、この錠装置１９０については、後に詳述する。
【００３３】
（２）透明板保持枠
弾球遊技機１の概の構成は、上記した通りであるが、以下には、本実施例の要部を構成する透明板保持枠１３０の構成について図１３乃至図１５を参照して詳細に説明する。図１３は、透明板保持枠１３０の正面から見た分解斜視図であり、図１４は、透明板保持枠１３０の拡大正面図であり、図１５は、透明板保持枠１３０の拡大背面図である。
【００３４】
透明板保持枠１３０は、前記遊技盤１００の遊技領域１０２を透視し得るガラス１３１を装着し得るものであると共に、本実施例においては、特に装飾効果及び強度を高め得るように構成されたものである。しかして、本実施例における透明板保持枠１３０は、主枠構成部材１３２と、該主枠構成部材１３２の前面側に装着されて遊技状態等に応じて照明装飾する各種の照明装飾部材と、主枠構成部材１３２の前面側に装着される各補強枠部材１７１・１７２と、を備えている。なお、主枠構成部材１３２には、前記ガラス１３１、遊技時の効果音等を発生する左右一対のスピーカ１５５、及び該スピーカ１５５の前面を被覆する金網状のスピーカカバー１５６も取付け固定されるものである。そこで、以下、透明板保持枠１３０を構成する構成部材毎に順次説明する。
【００３５】
（２−１）主枠構成部材
まず、主枠構成部材１３２について説明する。主枠構成部材１３２は、図１３及び図１４に示すように、ほぼ正方形状の合成樹脂板からなり、その中央部には遊技開口を規制する円形状の開口１３３が形成されている。なお、主枠構成部材１３２の左側上端には、前記上ヒンジ部材２９のヒンジ支持部３０との干渉を回避するための切欠部１３２ａが形成されている。主枠構成部材１３２の前面側の上辺部には、照明装飾部材としてのＬＥＤ基板１５７、ＬＥＤカバー１５８、ランプ基板１５９、及びランプカバー１６２の組付け位置を一義的に決める取付凹部１３４が刻設されている。これにより、ＬＥＤ基板１５７、ＬＥＤカバー１５８、ランプ基板１５９、及びランプカバー１６２の組付けの容易化を図ることができる。なお、取付凹部１３４内には、ＬＥＤ基板１５７の電気配線を主枠構成部材１３２の裏面側に引き出すための引出口１３４ａが左右２箇所に開設されている。また、取付凹部１３４の左右側方には、それぞれスピーカ１５５設置用のスピーカ効果穴１３５が開設されると共にスピーカカバー１５６取付け用の取付凹部１３６が刻設されている。また、左側（軸支側）のスピーカ効果穴１３５と取付凹部１３４との間には、照明装飾部材としての各ＬＥＤ基板１６５・１６７を取付けるための取付穴１３７ａ・１３７ｂが開設されている。また、主枠構成部材１３２の左右の各側辺部には、照明装飾部材としての各ランプ基板１６０・１６１を取付けるための取付穴１３８ａ・１３８ｂ・１３９ａ・１３９ｂが前記開口１３３に沿った円弧状にて開設されている。さらに、主枠構成部材１３２の下辺部の左右２箇所には、半円形状の窓１４０ａ・１４０ｂが開設されており、該窓１４０ａ・１４０ｂには、前記遊技盤１００の各シール１１０・１１１が視認できるように、透明材料からなる窓カバー部材１４１ａ・１４１ｂが主枠構成部材１３２の裏面からビス止め固定されている。
【００３６】
一方、主枠構成部材１３２の裏面側の構造においては、図１５に示すように、前記取付凹部１３４の裏面側に配線収納金具１４２がビス止め固定されると共に、軸支側裏面の上部及び下部に補強金属板１４３・１４４が、また開放側裏面の上部に補強金属板１４５がそれぞれビス止め固定されるようになっている。なお、配線収納金具１４２は、電気配線の収納機能に加えて透明板保持枠１３０の補強機能をも合せ持つものである。補強金属板１４３・１４５には、それぞれスピーカ１５５取付け用の取付穴１４３ａ・１４５ａが穿設されており、補強金属板１４４には、配線挿通用の挿通穴１４４ａが穿設されている。また、補強金属板１４３には、前記上ヒンジ部材２９と係合するヒンジピン１４６がスプリング１４７（図１３参照）により上下動可能に設けられる一方、補強金属板１４４の下端に位置する主枠構成部材１３２の裏面には、前記下ヒンジ部材２７と係合するヒンジ金具１４８がビス止め固定されている。また、主枠構成部材１３２の裏面における開放側辺部及び下辺部には、各々、細長形状の補強金具１４９・１５０がビス止め固定されており、補強金具１４９の長手方向における上下２箇所には、前記枠基体１０に形成された上下一対のフック連通穴２１に挿通される錠フック１４９ａが設けられている。なお、主枠構成部材１３２の裏面には、前記取付穴１７・１８の各検出器１９に対応するスイッチ押圧部１３２ｂ・１３２ｃが突設されており、該スイッチ押圧部１３２ｂ・１３２ｃに対応する補強金属板１４４・１４５の各部位には、後方に突出した各スイッチ押圧部１３２ｂ・１３２ｃを貫通せしめるスイッチ挿通穴１４４ｂ・１４５ｂが穿設されている。また、主枠構成部材１３２の取付凹部１３４の下部裏面側には、前記ＬＥＤ基板１５７及びランプ基板１５９の熱抜き開口１３２ｄが４箇所に開設されている。
【００３７】
ところで、前記補強金属板１４３・１４４及び補強金具１４９・１５０には、それぞれ防犯用フランジ辺部１４３ｂ・１４４ｃ・１４９ｂ・１５０ａが後方に向かって突設形成されている。この防犯用フランジ辺部１４３ｂ・１４４ｃ・１４９ｂ・１５０ａは、透明板保持枠１３０を枠基体１０に対して閉じた状態で、枠基体１０の前面に当接した状態となり透明板保持枠１３０と枠基体１０との隙間からピアノ線等の不正具が挿入するのを防止するようになっている。なお、配線収納金具１４２、補強金属板１４３〜１４５、及び補強金具１４９・１５０は、各々、接続状態にて主枠構成部材１３２に取付けられているため、いずれか任意の位置でアース線と接続しておけば、透明板保持枠１３０のいずれの場所で漏電又は静電気が生じていてもそれらをアースして高電圧による障害を防止することも可能である。
【００３８】
（２−１−１）ガラスの取付構造
また、主枠構成部材１３２の裏面には、図３に示すように、斜め対角線状に複数（４つ）の金属製のガラス取付支持部材１５１が成形時に一体的に設けられている。ガラス取付支持部材１５１は、その先端部に係合溝１５１ａが周設されている。このように設けられるガラス取付支持部材１５１に対して、遊技開口よりも若干大きな直径で形成されるガラス収納部材１５２に２枚のガラス１３１を前後面より貼り合わせて構成したセットガラスが装着されるものであるが、その脱着は、極めて簡単に行うことができるようになっている。即ち、ガラス収納部材１５２には、その前面側に前記ガラス取付支持部材１５１を貫通する貫通穴１５３ａを有する取付片部１５３が一体的に形成され、該取付片部１５３の基部に止め金具１５４がビス止めされている。しかして、ガラス１３１を装着するには、ガラス取付支持部材１５１に取付片部１５３の貫通穴１５３ａを貫通させ、その状態で止め金具１５４を回動して係合溝１５１ａに係止させることによりガラス１３１を主枠構成部材１３２、即ち透明板保持枠１３０に装着することができる。一方、ガラス１３１を取り外す場合には、止め金具１５４を回動させて係合溝１５１ａとの係合を解除した後に、ガラス収納部材１５２全体をガラス取付支持部材１５１から引き抜くことによりガラス１３１を主枠構成部材１３２、即ち透明板保持枠１３０から取り外すことができる。なお、ガラス１３１の脱着は、組付け完成した透明板保持枠１３０を枠基体１０に対して開放した状態で行えることは言うまでもない。また、透明板としてガラスではなく透明な合成樹脂板等を使用したものでも良い。
【００３９】
（２−２）照明装飾部材
主枠構成部材１３２に取付けられる各種の照明装飾部材は、円弧状の基板本体を有するＬＥＤ基板１５７と、該ＬＥＤ基板１５７の前面を被覆するＬＥＤカバー１５８と、円弧状の基板本体を有する各ランプ基板１５９・１６０・１６１と、該ランプ基板１５９・１６０・１６１の前面を個々に被覆する各ランプカバー１６２・１６３ａ・１６３ｂ・１６４ａ・１６４ｂと、ＬＥＤ基板１６５と、該ＬＥＤ基板１６５に植設された複数のＬＥＤを個々に被覆するレンズ部１６６ａを有するレンズカバー体１６６と、ＬＥＤ基板１６７と、該ＬＥＤ基板１６７に植設された複数のＬＥＤを個々に被覆するレンズ部１６８ａを有するレンズカバー体１６８と、から構成されている。ＬＥＤ基板１５７及びランプ基板１５９は、それぞれ前記取付凹部１３４に上下２段にて主枠構成部材１３２の前方からビス止め固定され、ＬＥＤ及びランプの各カバー１５８・１６２は、それぞれ両端部に形成された係合爪１５８ａ・１６２ａが取付凹部１３４側の係止穴（図示しない）に係止されるようになっている。
【００４０】
また、ランプ基板１６０・１６１は、それぞれ主枠構成部材１３２の裏面側から前記取付穴１３８ａ・１３８ｂ・１３９ａ・１３９ｂにビス止め固定される一方、各ランプカバー１６３ａ・１６３ｂ・１６４ａ・１６４ｂは、それぞれ後述の補強枠部材１７１・１７２にビス止め固定されるようになっている。ＬＥＤ基板１６５・１６７は、個々に各レンズカバー体１６６・１６８に取付け固定され、レンズカバー体１６６・１６８は、それぞれ補強枠部材１７１にビス止め固定されるようになっている。なお、ＬＥＤ基板１５７及び各ランプ基板１５９・１６０・１６１の基板表面（ＬＥＤあるいはランプの配設面）には、それぞれ白色塗料が塗られ、発光を前方（遊技者側）に反射し得るようになっている。また、各ランプ基板１６０・１６１の裏面側には、それぞれ基板カバー１６９・１７０が一体的にビス止め固定され、各基板１６０・１６１を裏面側から保護するようになっている。なお、ＬＥＤ基板１６５は、例えば、入賞玉が発生したことに基づいて払出される景品玉の払出し時に表示駆動され、また、ＬＥＤ基板１６７は、前記貯留タンク９６に貯留される景品玉量が不足したときに表示駆動される等のように、各種照明装飾部材は、それぞれ遊技内容に応じて前記電飾制御基板１２４の制御に基づいて照明装飾されるものである。
【００４１】
（２−３）補強枠部材（カバー部材）
次に、上記した主枠構成部材１３２に取付けられるカバー部材としての補強枠部材１７１・１７６について説明する。補強枠部材１７１・１７６は、相互にほぼ左右対称形状の合成樹脂板からなり、外周面にはメッキ処理が施されている。補強枠部材１７１は、図１３に示すように、右側端部が前記主枠構成部材１３２の開口１３３に沿った円弧状に形成され、その近傍には前記ランプカバー１６３ａ・１６３ｂを取付けるための各取付穴１７２ａ・１７２ｂが円弧状にて穿設されている。また、補強枠部材１７１の上側には、前記スピーカカバー１５９を取付けるための取付穴１７３と、レンズカバー体１６６・１６８の各レンズ部１６６ａ・１６８ａを貫通するための複数の貫通穴１７４と、が穿設されている。なお、補強枠部材１７１の左側上端には、主枠構成部材１３２と同様に、前記上ヒンジ部材２９との干渉回避用の切欠部１７５が形成されている。
【００４２】
一方、補強枠部材１７６は、左側端部が前記主枠構成部材１３２の開口１３３に沿った円弧状に形成され、その近傍には前記ランプカバー１６４ａ・１６４ｂを取付けるための各取付穴１７７ａ・１７７ｂが円弧状にて穿設されている。また、補強枠部材１７６の上側には、前記スピーカカバー１５９を取付けるための取付穴１７８が穿設されている。そして、上記のような補強枠部材１７１・１７６は、それぞれ裏面側に突設されたビス止めボス１７１ａ・１７６ａを介して主枠構成部材１３２に取付け固定されるようになっている。
【００４３】
（２−４）透明板保持枠の開閉構造
以上、説明した主枠構成部材１３２に補強枠部材１７１・１７６等を組合せて構成される透明板保持枠１３０は、図１及び図２に示すように、枠基体１０の横幅寸法とほぼ同じ寸法を有し、このため、遊技者の正面からの視野においては、枠基体１０の上方部で枠基体１０を視認することはできず透明板保持枠１３０が視認されることとなる。そして、透明板保持枠１３０は、枠基体１０に対して開閉自在に設けられることは、前述した通りであり、透明板保持枠１３０は、上端部をヒンジピン１４６とヒンジ支持部３０の係合穴３０ａとの軸受状態で、下端部をヒンジ金具１４８の係合穴１４８ａと中ヒンジ部材２６のヒンジピン２８との軸受状態でそれぞれ開閉自在に設けられるものであるが、下端部のヒンジ金具１４８の係合穴１４８ａの外側には、図示しない係合突部が突設され、一方、中ヒンジ部材２６の垂直辺部の外側にも図示しない係合部が立設形成されている。しかして、透明板保持枠１３０を開放したときには、ヒンジ金具１４８の係合突部が中ヒンジ部材２６の係合部に当接してそれ以上開放できないようになっており、これにより透明板保持枠１３０を勢いよく開放してもガラス１３１が破損したり、あるいは透明板保持枠１３０の表面に設けられる各種構成部材が破損したりすることはない。
【００４４】
（２−５）透明板保持枠の施錠構造
透明板保持枠１３０は、上記したように枠基体１０に対して開閉自在に設けられるが、通常の使用時においては、これを閉じておかなければならないので、当然のことながら開放側を施錠する必要がある。このため、図２に示すように、枠基体１０の開放側裏面に錠装置１９０が取付けられている。なお、錠装置１９０は、透明板保持枠１３０の施錠ばかりでなく、枠基体１０の外枠２に対する施錠をも行うことができる、いわゆるＷ錠となっている。そこで、この錠装置１９０について図２及び図１２を参照して説明する。錠装置１９０は、断面Ｌ字型に形成される取付基板１８１に集約して形成され、取付基板１８１の一方辺が枠基体１０への取付面１９１ａをなしている。該取付面１９１ａの下方寄りには、シリンダー錠１９２が取付けられている。
【００４５】
取付基板１８１の他方辺には、取付基板１８１に対して上下動可能なように可動部材（図示しない）が取付けられており、該可動部材の上端部及び下端部には、それぞれ錠フック１９３が設けられている。錠フック１９３の先端は、錠フック１９３に向けて傾斜する誘導傾斜部１９４となっているが、これは、枠基体１０を押して閉じるときに外枠２の内側上下に固定される係止金具６に当接案内されながら最終的に錠フック１９３と係止金具６とを係合させるためのものである。なお、下方の誘導傾斜部１９４には、側方に突出する操作部１９５が突設されており、手の操作で可動部材を上昇せしめるときに使用するものである。また、可動部材は、取付基板１８１との間に張架されたスプリング（図示しない）により常時下方に付勢されている。
【００４６】
一方、取付基板１８１の一方辺（取付面１９１ａ）にも、前記可動部材と同様の作動部材（図示しない）が上下動可能に取付けられている。該作動部材は、スプリング（図示しない）により常時上方に付勢されており、その中央部には、手動操作用の操作部１９６が突設されている。また、取付面１９１ａには、その上端部と中央よりやや下方に長方形状の連通口１９７が開設されており、該連通口１９７に対応する作動部材の部位には、図示しない係合開口が開設されている。なお、連通口１９７及びこれに対応する係合開口には、透明板保持枠１３０の開放側に設けられる錠フック１４９ａが貫通するものである。
【００４７】
上記のように構成される錠装置１９０の作用について簡単に説明する。まず、外枠２に対する枠基体１０の解錠及び施錠について説明すると、遊技場の店員がシリンダー錠１９２に図示しない所定の鍵を差し込んで時計回転方向に回すと、スプリングの付勢力に抗して可動部材が上昇され、これに伴って錠フック１９３も上昇される。このため、錠フック１９３と外枠２の係止金具６とが係合位置関係となっていないので、その状態でシリンダー錠１９２に差し込んだままの鍵を引っ張ることにより枠基体１０全体を回動させて開放することができる。一方、開放した枠基体１０を閉じるときには、そのまま枠基体１０を押し込むことにより錠フック１９３の誘導傾斜部１９４と係止金具６との当接により可動部材がスプリングの付勢力に抗して上昇し、遂には、錠フック１９３が係止金具６と係合する位置でスプリングの付勢力により可動部材が下降して錠フック１９３と係止金具６とが完全に施錠された状態となる。
【００４８】
次に、枠基体１０に対する透明板保持枠１３０の解錠及び施錠について説明すると、遊技場の店員がシリンダー錠１９２に図示しない所定の鍵を差し込んで反時計回転方向に回すと、スプリングの付勢力に抗して作動部材が下降する。このため、作動部材の係合開口と錠フック１４９ａとの係合が解除されて透明板保持枠１３０が開放される。一方、開放した透明板保持枠１３０を閉じるときには、そのまま透明板保持枠１３０を押し込むことにより錠フック１４９ａが枠基体１０に形成されたフック連通穴２１を貫通して錠装置１９０の連通口１９６に侵入し、上昇している作動部材の係合開口の一部に侵入する。その状態でさらに押し込むことにより錠フック１４９ａの先端下辺の傾斜部と係合開口との当接により作動部材がスプリングの付勢力に抗して上昇し、遂には、係合開口が錠フック１４９ａと係合する位置でスプリングの付勢力により作動部材が上昇して錠フック部１４９ａと係合開口とが完全に施錠された状態となる。なお、透明板保持枠１３０を解錠する場合には、枠基体１０を開放した状態で操作部１９６を押し下げることによっても行うことができる。
【００４９】
以上、透明板保持枠１３０を構成する部材の詳細な説明をしてきたが、これらの構成部材を組付けて完成される透明板保持枠１３０は、前述したように枠基体１０の横幅寸法と同じ横幅寸法を有するため、図１に示すように、弾球遊技機１の正面上部は、透明板保持枠１３０と該透明板保持枠１３０のガラス１３１を介して視認し得る遊技盤１００の遊技領域１０２とが遊技者の視野に入る。そして、この場合、透明板保持枠１３０における正面構造において主枠構成部材１３２の左右前面に本発明におけるカバー部材をなす補強枠部材１７１・１７６が装着されているので、透明板保持枠１３０は、基本的に二重基板の構造を持つことになる。このため、透明板保持枠１３０の強度が向上でき、タバコやライター等の発熱具による不正の穴空け行為を防止することができる。
【００５０】
また、本実施例では、枠基体１０に開閉自在に設けた上皿４０の左右両側には各カバー部材５１・５４・５６が、枠基体１０に固設した下皿６０の側方にはカバー部材７９が、また外枠２の左右両側にはカバー部材５ａ・５ｂが、それぞれ装着されているので、透明板保持枠１３０と同様に弾球遊技機１の前面側に配置される構成部材の強度が向上でき、ひいては弾球遊技機１全体における穴空けの不正行為を防止することができる。また、穴空けの不正行為を防止するカバー部材の装着部位は、本実施例記載の部位に限定するものではなく、弾球遊技機の構成に応じて適宜変更することも可能である。なお、以上のように穴空けの不正行為を防止する各カバー部材は、それぞれ弾球遊技機１の左右の前面側に装着されることで、最終的には枠基体１０、上皿４０、あるいは透明板保持枠１３０の開閉機構（ヒンジや錠装置等）に対する不正を防止するようになっている。また、カバー部材は、各々、合成樹脂によって所望の形状に形成されると共に、外周面にはメッキ処理が施されているため、弾球遊技機１の前面は、上端部から下端部にかけて統一的且つ近未来的な意匠をなし、弾球遊技機１全体の視覚的な興趣の向上を可能にしている。
【００５１】
なお、上記実施例は、本発明を限定するものではなく、本発明の範囲内で種々の変更が可能である。例えば、上記実施例では、透明板保持枠１３０の開口１３３を遊技盤１００の遊技領域１０２の形状と合致する円形としているが、必ずしも開口１３３の形状を遊技領域１０２の形状に合致させる必要はなく、従来形状である四角形、あるいは五角形や六角形等の多角形状に開口１３３を構成しても良い。
【図面の簡単な説明】
【００５２】
【図１】実施例に係る弾球遊技機の正面図である。
【図２】枠基体の分解斜視図である。
【図３】透明板保持枠を開放した状態を示す斜視図である。
【図４】上皿の分解斜視図である。
【図５】下皿及び灰皿の分解斜視図である。
【図６】灰皿の断面図である。
【図７】同図（Ａ）（Ｂ）は、各々、灰皿の回転動作を示す説明図である。
【図８】遊技盤及び機構板を取付けた状態での枠基体の背面図である。
【図９】遊技盤を示す拡大正面図である。
【図１０】図１のＡ−Ａ線矢視断面図である。
【図１１】図１のＢ−Ｂ線矢視断面図である。
【図１２】図１のＣ−Ｃ線矢視断面図である。
【図１３】透明板保持枠の分解斜視図である。
【図１４】透明板保持枠の拡大正面図である。
【図１５】透明板保持枠の拡大背面図である。
【符号の説明】
【００５３】
１  弾球遊技機
２  外枠
５ａ・５ｂ・５１・５４・５６・７９  カバー部材
１０  枠基体
１１  開口部
４０  上皿（打球供給皿）
４１  取付基板
６０  下皿
７４  灰皿
８０  ハンドル装置
９０  機構板
１００  遊技盤
１２０  発射装置
１３０  透明板保持枠
１３１  ガラス
１３２  主枠構成部材
１３３  開口
１５５  スピーカ
１５７・１６５・１６７  ＬＥＤ基板
１５９・１６０・１６１  ランプ基板
１７１・１７６  補強枠部材（カバー部材）
５９・１９０  錠装置
【図１】
2006142060.tif 000003
【図２】
2006142060.tif 000004
【図３】
2006142060.tif 000005
【図４】
2006142060.tif 000006
【図５】
2006142060.tif 000007
【図６】
2006142060.tif 000008
【図７】
2006142060.tif 000009
【図８】
2006142060.tif 000010
【図９】
2006142060.tif 000011
【図１０】
2006142060.tif 000012
【図１１】
2006142060.tif 000013
【図１２】
2006142060.tif 000014
【図１３】
2006142060.tif 000015
【図１４】
2006142060.tif 000016
【図１５】
2006142060.tif 000017
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
遊技盤の遊技領域を透視し得る遊技開口を有すると共に該遊技開口に対応して透明板を装着可能とする透明板保持枠と、該透明板保持枠の下方に設けられる打球供給皿の取付基板と、を枠基体に対して開閉自在に設けた弾球遊技機において、
前記透明板保持枠には、前記遊技開口としての円形状の開口と、該開口とは別に形成され前記開口の下部左右の一方又は両方に前記遊技盤の下部配置される証明手段を透視し得る透視窓とが設けられた合成樹脂製の主枠構成部材と、該主枠構成部材の前面側の左右側部を被覆する主枠カバー部材と、を設け、
前記打球供給皿には、前記取付基板の開放側の裏面に、当該取付基板を前記枠基体に対して施錠する錠装置と、前記取付基板の前面における左右側部を被覆する取付基板カバー部材と、を設け、
前記取付基板カバー部材のうち、開放側の取付基板カバー部材と前記取付基板との二重構造により前記錠装置の前面を被覆し、前記透視窓に透明材料からなる透視窓カバー部材を前記透明板とは別に取り付けたことを特徴とする弾球遊技機。
【手続補正２】
【補正対象書類名】明細書
【補正対象項目名】全文
【補正方法】変更
【補正の内容】
【発明の詳細な説明】
【技術分野】
【０００１】
本発明は、遊技盤の遊技領域を透視し得る遊技開口を有すると共に該遊技開口に対応して透明板を装着可能とする透明板保持枠を枠基体に対して開閉自在に設けた弾球遊技機に関するものである。
【背景技術】
【０００２】
従来、遊技盤の遊技領域を透視し得る遊技開口を有し、該遊技開口に対応して透明板（例えば、ガラス板）を装着することが可能な透明板保持枠としては、額縁状に形成された木製の前面枠の開口周縁に固定される金属製の扉保持枠（俗に「金枠」と称されている）に開閉自在に取付けられる金属製のガラス扉保持枠が唯一市場に提供されていた。このガラス扉保持枠は、正面から見てクロムメッキを施した正方形状の枠組みが視認され得るのみで、その形状及び態様は、過去２０年以上に亘って変化していなかった。そこで、本出願人は、先に特願平６−２８９６５号（以下、先行技術という）で、透明板保持枠の高度な装飾化を図るべく、遊技開口を規制する開口が形成される合成樹脂製の主枠構成部材にて透明板保持枠を構成することを提案した。
【特許文献１】特願平６−２８９６５号
【発明の開示】
【発明が解決しようとする課題】
【０００３】
ところが、上記した先行技術では、主枠構成部材を合成樹脂製の一枚板によって形成していたので、透明板保持枠としての強度が低く熱変形し易いため、タバコやライター等の発熱具により穴を空ける不正行為が比較的容易に行えるという欠点があった。また、透明板保持枠に限らず弾球遊技機の前面側に配置される打球供給皿（属に「上皿」と称される）の取付基板や余剰玉受皿（属に「下皿」と称される）の取付基板についても同様に上記した欠点を有するため、比較的容易に不正行為が行われていた。本発明は、上記した事情に鑑みなされたもので、その目的とするところは、透明板保持枠、打球供給皿の取付基板、あるいは余剰玉受皿の取付基板等の弾球遊技機の前面側に配置される構成部材の強度を向上し、穴空けによる不正行為を防止し得る弾球遊技機を提供することにある。
【課題を解決するための手段】
【０００４】
上記した目的を達成するために、本発明においては、
遊技盤の遊技領域を透視し得る遊技開口を有すると共に該遊技開口に対応して透明板を装着可能とする透明板保持枠と、該透明板保持枠の下方に設けられる打球供給皿の取付基板と、を枠基体に対して開閉自在に設けた弾球遊技機において、
前記透明板保持枠には、前記遊技開口としての円形状の開口と、該開口とは別に形成され前記開口の下部左右の一方又は両方に前記遊技盤の下部配置される証明手段を透視し得る透視窓とが設けられた合成樹脂製の主枠構成部材と、該主枠構成部材の前面側の左右側部を被覆する主枠カバー部材と、を設け、
前記打球供給皿には、前記取付基板の開放側の裏面に、当該取付基板を前記枠基体に対して施錠する錠装置と、前記取付基板の前面における左右側部を被覆する取付基板カバー部材と、を設け、
前記取付基板カバー部材のうち、開放側の取付基板カバー部材と前記取付基板との二重構造により前記錠装置の前面を被覆し、前記透視窓に透明材料からなる透視窓カバー部材を前記透明板とは別に取り付けたことを特徴とするものである。
【発明の効果】
【０００５】
請求項１に係る発明において、透明板保持枠には、遊技開口としての円形状の開口と、該開口とは別に形成され前記開口の下部左右の一方又は両方に遊技盤の下部配置される証明手段を透視し得る透視窓とが設けられた合成樹脂製の主枠構成部材と、該主枠構成部材の前面側の左右側部を被覆する主枠カバー部材とを設けたので、透明板保持枠を二重基板の構造にすることができ、ひいては透明板保持枠の強度を向上して穴空けによる不正行為を防止することができる。また、打球供給皿には、取付基板の開放側の裏面に、当該取付基板を枠基体に対して施錠する錠装置と、取付基板の前面における左右側部を被覆する取付基板カバー部材と、を設け、取付基板カバー部材のうち、開放側の取付基板カバー部材と取付基板との二重構造により錠装置の前面を被覆したので、打球供給皿の取付基板の錠装置に対する不正を防止することができる。更に、遊技開口の下部左右の一方又は両方に遊技盤の下部に配置される証明手段を透視し得る透視窓が遊技開口とは別に形成され、透視窓に透明材料からなる透視窓カバー部材を透明板とは別に取り付けたので、証明手段が視認できないということはない。
【発明を実施するための最良の形態】
【０００６】
以下、図面を参照して、本発明の実施例について説明する。まず、実施例の要部を構成する透明板保持枠１３０を有する弾球遊技機１の構成について図１乃至図１２を参照して説明する。図１は、弾球遊技機１の正面図であり、図２は、枠基体１０の分解斜視図であり、図３は、透明板保持枠１３０を枠基体１０に取付けた状態での透明板保持枠１３０を開放した状態を示す斜視図であり、図４は、上皿４０の分解斜視図であり、図５は、下皿６０及び灰皿７４の分解斜視図であり、図６は、灰皿７４の断面図であり、図７（Ａ）（Ｂ）は、各々、灰皿７４の回転動作を示す説明図であり、図８は、遊技盤１００及び機構板９０を取付けた状態での枠基体１０の背面図であり、図９は、遊技盤１００を示す拡大正面図であり、図１０は、図１のＡ−Ａ線矢視断面図であり、図１１は、図１のＢ−Ｂ線矢視断面図であり、図１２は、図１のＣ−Ｃ線矢視断面図である。
【０００７】
（１）弾球遊技機の全体構造
本実施例における弾球遊技機１としては、弾発された打玉が遊技盤１００に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（属にアレンジ遊技機と称される）であってもよい。しかして、弾球遊技機１は、図３に示すように、縦長な方形状に枠組み形成される外枠２と、該外枠２の一側に開閉自在に軸支され且つ弾球遊技機１の主要構成部のほぼすべてが集約して設けられる枠基体１０と、該枠基体１０の前面上部に開閉自在に設けられ且つ本実施例の要部を構成する透明板保持枠１３０とから構成されている。
【０００８】
（１−１）外枠
外枠２は、木製の板材を枠組み構成することにより形成され、その一側上下に固着される軸支用金具３に枠基体１０が開閉自在に軸支される。なお、下部の軸支用金具３は、次に説明する当て板４の上部に固着される。また、外枠２の下部前面には、閉じたときに枠基体１０の下辺部を載置する当て板４が固定されている。この当て板４は、図２に示すように、その中央部に前方突出面４ａが形成されており、左右の各凹面４ｂ・４ｃには、それぞれカバー部材５ａ・５ｂがビス止め固定されるようになっている。更に、外枠２の開放側の内側上下には、後に詳述する錠装置１９０と係脱して枠基体１０を閉じたり開放したりするための係止金具６（図３参照）が固着されている。この係止金具６と錠装置１９０との関係については、後に詳述する。なお、当て板４を含む外枠２を木製の板材ではなく、合成樹脂によって一体成形又は別体に成形して組み立てて構成しても良い。
【０００９】
（１−２）枠基体
上記した外枠２に開閉自在に取付けられる枠基体１０は、合成樹脂によって一体成形されるものであり、図２に示すように、その上部にほぼ正方形状の開口部１１が形成され、その下部が板状となっている。つまり、枠基体１０は、従来の合板によって形成された前面枠とほぼ同等のものであるが、従来の前面枠と相違する点は、枠基体１０の裏面であって遊技盤１００を収納固定する遊技盤収納枠１２（図２及び図３参照）が枠基体１０と一体的に形成されている点である。即ち、従来の前面枠と遊技盤収納枠との関係においては、木製の前面枠の裏面に合成樹脂製の遊技盤収納枠を固着しているのに対し、本実施例における枠基体１０は、前面枠に相当する部分も合成樹脂で形成されているので、遊技盤収納枠１２を含む全体を合成樹脂によって一体成形したものであり、これによって工場における組付け作業の簡略化を達成することができるものである。
【００１０】
ところで、上記遊技盤収納枠１２の下方部分も、図２に示すように、板状に形成されており、その一側上部に上皿連通口１３が形成され、該上皿連通口１３の下部前方に溢れ玉誘導部材１４が取着される。溢れ玉誘導部材１４の下流側前方には、抜き玉連通口１５が形成されている。この抜き玉連通口１５は、後述する上皿４０に貯留されていた玉であって玉抜きされた玉が溢れ玉誘導部材１４の内部に流入するための流入口である。また、溢れ玉誘導部材１４は、上皿４０を開放したときに前記上皿連通口１３から溢れた玉や抜き玉連通口１５から流入した玉を遊技盤収納枠１２の下方の板状部分のほぼ中央に形成された下皿誘導口（図示しない）から裏面側に導いて玉誘導路（図示しない）を介して後述する下皿６０に導くものである。
【００１１】
また、遊技盤収納枠１２の下方の板状部分の前面であって前記溢れ玉誘導部材１４の側方には、発射点レール１６が固着されている。この発射点レール１６は、上皿４０から１個宛供給される打玉を下流端に形成される発射点で受け止めて後述する発射装置１２０の打球槌１２２で弾発するために設けられるものである。そして、発射点レール１６の上流端と遊技盤１００に設けられる誘導レール１０１の下流端との間にファール口が形成され、遊技盤１００の遊技領域１０２に到達することなく戻ってきた打玉がファール口から前記溢れ玉誘導部材１４に受け入れられて最終的に下皿６０に導かれるものである。
【００１２】
一方、図２に示すように、枠基体１０の左右の両端側には、それぞれ検出器取付穴１７・１８が貫通形成されている。この検出器取付穴１７・１８は、その裏面から検出器を取付けるものであり、図示の実施例では、軸支側に形成される検出器取付穴１７には、図２及び図３に示すように検出器１９のアクチュエータが前面側に突出しており、透明板保持枠１３０を開放したときに検出器１９が開放状態を検出し、遊技機本体もしくはホールコンピュータに検出信号を出力するようになっている。また、開放側に形成される検出器取付穴１８には、図示の実施例では検出器が設けられていないが、設けるとすれば、例えば、透明板保持枠１３０を僅かに開放してセル板やピアノ線等の不正具を挿入する不正行為を検出するための不正開放検出器等が考えられる。
【００１３】
更に、枠基体１０の前面枠部分の開口部１１に対応する部分には、軸支側下部に配線通し穴２０（図３参照）、開放側上下にフック連通穴２１、軸支側中程に干渉回避凹部２２、軸支側の中程上下にヒンジ取付凹部２３・２４（図２参照）、開放側の中程よりやや下方に錠穴２５（図２参照）がそれぞれ形成されている。配線通し穴２０は、透明板保持枠１３０に設けられる後述する電装部品から延びる配線を枠基体１０の裏面側に通すものである。また、フック連通穴２１は、透明板保持枠１３０の開放側に設けられる補強金具１４９の錠フック１４９ａ（後に詳述する）を後方に貫通させて錠装置１９０の係合開口と係合させるものである。干渉回避凹部２２は、透明板保持枠１３０を閉じたときにランプ基板１６０を裏面側から被覆する円弧状の基板カバー１６９の一部との当接状態を回避するためのものであり、このため、干渉回避凹部２２は、円弧状に刻設されている。また、錠穴２５には、錠装置１９０のシリンダー錠１９２が挿入されるものである。
【００１４】
（１−３）枠基体への透明板保持枠及び上皿の取付構造
また、前記ヒンジ取付凹部２３・２４は、それぞれ金属製のヒンジ部材２６・２７を止着する領域である。ヒンジ取付凹部２３（以下、中ヒンジ取付凹部２３という）に止着されるヒンジ部材２６（以下、中ヒンジ部材２６という）は、Ｌ字型に形成され、その水平面にヒンジピン２８が上下に貫通するように固着されている。ヒンジ取付凹部２４（以下、下ヒンジ取付凹部２４という）に止着されるヒンジ部材２７（以下、下ヒンジ部材２７という）は、Ｌ字型に形成され、その水平面に係合穴２７ａ（図２参照）が形成されている。また、枠基体１０の軸支側上部にもヒンジ部材２９（以下、上ヒンジ部材２９という）が止着されるが、この上ヒンジ部材２９は、枠基体１０の裏面側から止着されるようになっている。また、上ヒンジ部材２９は、枠基体１０の前面に当接し且つ係合穴３０ａを有するヒンジ支持部３０と、枠基体１０に対して垂直方向に突設される水平面の下方に向かって突設されるヒンジピン３１と、を備えて構成されるものである。
【００１５】
上記したヒンジ部材２６・２７・２９には、透明板保持枠１３０と上皿４０が取着される取付基板４１とが開閉自在且つ着脱自在に取付けられるものである。具体的には、まず、透明板保持枠１３０の着脱構造について説明すると、図２に示すように、透明板保持枠１３０の軸支側上端には、ヒンジピン１４６が後述するスプリング１４７の付勢力により上方に付勢されており、また、軸支側下端裏面には、係合穴１４８ａを有するヒンジ金具１４８がビスで止着されている。しかして、下部のヒンジ金具１４８の係合穴１４８ａに中ヒンジ部材２６のヒンジピン２８の上部突設側に差し込んだ状態で上端のヒンジピン１４６を付勢力に抗して押し下げてヒンジ支持部３０の係合穴３０ａに差し込むことにより、透明板保持枠１３０が枠基体１０に開閉自在に軸支される。逆に、透明板保持枠１３０を取り外す場合には、ヒンジピン１４６を押し下げて係合穴３０ａからヒンジピン１４６を抜き出した後に全体を持ち上げて係合穴１４８ａをヒンジピン２８から外すことにより簡単に行うことができる。なお、透明板保持枠１３０の開閉動作については、後に詳述する。
【００１６】
次に、上皿４０の取付基板４１の着脱構造について説明すると、図２に示すように、取付基板４１は、その軸支側上端に支点穴４２が設けられる一方、軸支側下端には、後述するカバー部材５１の支点穴５２が設けられている。しかして、上端の支点穴４２を中ヒンジ部材２６のヒンジピン２８の下部突設側に差し込み、その状態で下部の支点穴５２と下ヒンジ部材２７の係合穴２７ａとに図示しないスプリングで付勢されるヒンジピンを差し込むことで、上皿４０の取付基板４１が枠基体１０に開閉自在に軸支される。逆に、取付基板４１を取り外す場合には、支点穴５２と下ヒンジ部材２７の係合穴２７ａとに差し込まれたヒンジピンを抜き取り、その後、全体を下方に引き下げてヒンジピン２８から支点穴４２を引き抜くことにより簡単に行うことができる。
【００１７】
このように、透明板保持枠１３０や上皿４０の取付基板４１を枠基体１０に対して開閉自在であり且つ着脱自在に設けたので、弾球遊技機１の工場における組付け作業や遊技場における点検作業時を簡単に行うことができる。特に、本実施例のように、透明板保持枠１３０に電装部品を備えたものにあっては、電装部品等の故障に基づく修理・交換が必要となることが予想され、そのように予想される場合において、従来の透明板保持枠（ガラス板保持枠）が着脱できない構造のものに比べて、透明板保持枠１３０を取り外すことができるので、修理・交換を簡単に行うことができる。
【００１８】
（１−４）上皿
ここで、取付基板４１に取着固定される上皿４０の構成について図４を参照して説明すると、上皿４０は、合成樹脂製の取付基板４１の表面に合成樹脂製の皿部材４７と各カバー部材５１・５４とを固着することにより構成されている。取付基板４１には、軸支側上端の前記支点穴４２に加えて、各種構成部材４７・５１・５４の取付穴４３と、皿部材４７の配線４８を遊技機１側に接続するための配線挿通穴４４と、軸支側に形成されて皿部材４７の貯留誘導部４９に景品玉又は購入した遊技玉を排出させる景品玉排出口４５と、が穿設されると共に、開放側の上端に玉抜き操作レバー４６が設けられている。この玉抜き操作レバー４６は、左右方向に移動可能に設けられ、図示しないスプリングの付勢力に抗して一方向に移動させることにより、前記貯留誘導部４９の下流端に設けられる開閉弁（図示しない）を開放して貯留誘導部４９に貯留されていた玉を取付基板４１の裏面に形成される玉抜き通路（図示しない）を流下させて前記抜き玉連通口１５に導き、最終的に下皿６０に誘導するものである。なお、景品玉排出口４５は、取付基板４１を閉じたときに前記上皿連通口１３と連通するようになっている。一方、皿部材４７は、複数の部材を組み立てた状態で取付基板４１の表面に一体として取着固定されているものであるが、その上端面には、前記配線４８に接続されたＣＲ用の各種スイッチ５０が設けられている。なお、ＣＲ用の各種スイッチ５０とは、現金に換えてこれに対応する金額情報を記録したプリペードカードを弾球遊技機１に用いる際、該プリペードカードからの玉貸し等を遊技客が手動操作にて行うためのものである。また、カバー部材５１・５４は、各々、裏面に突設された取付ボス５３・５５が取付基板４１の取付穴４３に係合されることで、皿部材４７の左右両側に取付け固定されるようになっている。なお、カバー部材５４の開放側端部には、前記錠穴２５と連通する錠穴５７が穿設されたカバー部材５６が前記枠基体１０に取付け固定されている。
【００１９】
また、皿部材４７の左右両側に取付けられる各カバー部材５１・５４・５６は、取付基板４１の前面に配されて遊技客の不正行為を防止すると共に、弾球遊技機１を正面から見たときに透明板保持枠１３０と取付基板４１とを明瞭に区別させない意匠にて形成されることで、装飾的に弾球遊技機１の全体が統一化された印象を与えるようになっている。なお、図１に示すように、皿部材４７の内部であって前方下部には、圧電ブザー５８が臨設され、前記ＣＲ用スイッチ５０の押圧操作に伴う効果音を発生するようになっている。また、取付基板４１の開放側裏面には、枠基体１０に対して取付基板４１を施錠する錠装置５９が設けられている。この錠装置５９は、取付基板４１に上下動可能に取付けられた可動部材５９ａと、該可動部材５９ａを常時上方に付勢するスプリング５９ｄ（図１２参照）と、を備えており、可動部材５９ａには、その上端に施錠解除用の押圧操作部５９ｂ（図４参照）が形成される一方、下端には枠基体１０側に設けられた係止片１０ａ（図１２参照）と係合する係合爪５９ｃ（図１２参照）が形成されている。なお、錠装置５９の前面側は、前述のように取付基板４１とカバー部材５４との二重基板の構造をなしており、タバコやライター等の発熱具による穴空けを防止して、錠装置５９に対する不正操作を防止し得るようになっている。
【００２０】
（１−５）下皿
枠基体１０の前面枠部分の下方部分は、図２に示すように、板状に形成されており、その前面のほぼ全域に係合凹部３２が刻設されている。この係合凹部３２は、後に詳述する下皿６０やハンドル装置８０を組付け固定する際に一応の位置決めを行うものであり、組付け作業の容易化を図ることができるものである。また、係合凹部３２には、そのほぼ中央に下皿連通口３３が、その開放側よりの側部にハンドル作動開口３４がそれぞれ開設形成されている。下皿連通口３３には、これに対応して開口部３５ａを備えたカバー部材３５と下皿６０とが取付けられるが、その下皿６０は、複数の部材を組み立てた状態でセット化されて枠基体１０の下部中央に止着固定されているものである。以下、下皿６０の構成について説明する。
【００２１】
下皿６０は、図５に示すように、下皿基体６１と、該下皿基体６１に取付けられて前記下皿連通口３３から流下する玉を貯留する玉受部材６６と、該玉受部材６６から貯留玉を抜き取る玉抜き装置６９と、を備えている。下皿基体６１には、その裏面側に取付ネジ６２が後方に向けて複数本設けられており、その取付ネジ６２を枠基体１０側の取付穴３６（図２参照）にナット止めすることで下皿６０が枠基体１０に取付け固定されるようになっている。なお、下皿基体６１の下端面には、後方に向けて位置決め凸部６３が突設されており、この位置決め凸部６３を枠基体１０側の位置決め穴３７（図２参照）に差し込むことで、下皿連通口３３と玉受部材６６との接続状態を確実に確保すると共に下皿６０の取付作業の容易化を招来している。
【００２２】
また、下皿基体６１の前面壁には、レバー操作穴６４が穿設されると共にその裏面側の上下２箇所にレバーガイド６５が設けられて、玉抜き装置６９を構成する玉抜き操作レバー７０がスライド可能に取付けられるようになっている。一方、玉受部材６６には、該玉受部材６６を下皿基体６１にビス止めするための取付穴６７が穿設されると共に、下面に玉抜き穴６８が穿設されており、この玉抜き穴６８には、玉抜き装置６９が臨設されている。玉抜き装置６９は、前記玉抜き穴６８を開閉する開閉蓋７１と、該開閉蓋７１を摺動自在に収納し且つ前記玉抜き穴６８に対応する玉抜き穴７３ａが形成されたカバー部材７３と、から構成され、開閉蓋７１は、カバー部材７３内に収納支持されるスプリング７２によって常に玉抜き穴７３ａとの間に挿入された状態に付勢されている。開閉蓋７１は、その前面側に突設される係合凸部７１ａが前記玉抜き操作レバー７０の下部中央に突設される係合凸部７０ａに係合され、スプリング７２の付勢力に抗して玉抜き操作レバー７０が一方向に移動されることで、一連の玉抜き穴６８・７３ａを連通して、玉受部材６６に貯留される打玉を下方（通常、玉箱が設置される）に落下せしめるようになっている。なお、玉抜き装置６９は、玉受部材６６の仮面から突設される取付ボス６６ｂにビスで止着されることにより取付けられている。このように、図示の実施例においては、玉抜き操作レバー７０を下皿６０の前面壁の中央に内蔵して設けたので、従来のように操作レバーを下皿の底面に沿って設けたものに比較して外部からのイタズラによって故障せしめられることが少なくなるという利点がある。
【００２３】
（１−６）灰皿
また、上記下皿６０の下皿基体６１には、図５に示すように、前記玉受部材６６の隣接位置に灰皿取付部６１ａが切欠形成されており、該灰皿取付部６６ａには、熱硬化性樹脂からなる灰皿７４がカバー部材７６を介して取付けられるようになっている。カバー部材７６は、灰皿７４側のビス止めボス７５を介して灰皿７４と一体的に取付け固定されており、その前面形状は、下皿基体６１の前面形状と連続的な意匠をなしている。また、カバー部材７６の左右両端には、後方に向かって取付突片７７が形成されており、該取付突片７７には、縦長形状の係合穴７８が穿設されている。そして、この係合穴７８が下皿基体６１及び玉受部材６６に突設された係合凸部６１ｂ・６６ａに係合されることで、図６に示す状態で灰皿７４が下皿基体６１に取付けられる。なお、このような係合穴７８と係合凸部６１ｂ・６６ａとの係合は、灰皿７４を下皿基体６１から引き上げた状態でのみ灰皿７４の完全回動を可能にするものである。即ち、図６に示すように、灰皿７４が下皿基体６１にセットされた状態で灰皿７４を回転させた場合では、カバー部材７６の下面後端部７６ａと下皿基体６１の下面前端部６１ｃとの間隔Ｌ１分しか回転しないのに対して、図７（Ａ）に示すように、灰皿７４を下皿基体６１から引き上げた状態では、カバー部材７６の下面後端部７６ａは下皿基体６１の下面前端部６１ｃに当接することがないので、図７（Ｂ）に示すように、灰皿７４を完全に回転させることができる。このように、本実施例では、灰皿７４を下皿基体６１から引き上げた状態でのみ灰皿７４の完全回動を可能にすることで、誤って灰皿７４を回転せしめることがなく、吸い殻等のゴミＧが遊技者の不注意により灰皿７４から落ちることを回避している。また、灰皿７４を取付けた下皿基体６１の左側方には、図２に示すように、カバー部材７９が前記枠基体１０に取付け固定されている。
【００２４】
（１−７）ハンドル装置
また、前記ハンドル作動開口３４に対応してハンドル装置８０が装着される。ハンドル装置８０は、前記上皿４０の側壁から装飾的に連続する取付基板８１に所謂ハンドルが突設されて構成されるものであり、その突設されるハンドルは、図２に示すように、取付基板８１に直接的に固定される外固定部８２と、該外固定部８２の前面側に固定される内固定部８３と、外固定部８２と内固定部８３との間で回動自在に設けられる可動部８４と、から構成されている。また、取付基板８１の裏面には、複数の取付ネジ８５が後方に向かって突設されており、取付ネジ８５をハンドル作動開口３４の周囲に穿設される取付穴３８に差し込んで裏面から発射装置１２０の取付基板１２１（図８参照）と共締めするようにナットで締着することにより、取付基板８１が枠基体１０に固定される。また、ハンドル作動開口３４の側方には、配線通し穴３９が形成されているが、これは、ハンドル装置８０内に設けられるスイッチ（メインスイッチやタッチセンサ）の配線８６を枠基体１０の裏面側に導くものである。
【００２５】
上記のように構成されるハンドル装置８０においては、可動部８４を回動せしめることにより、その回動操作が発射装置１２０側に伝達されて発射装置１２０の打球槌１２２の発射勢を変化させることができる。このため、可動部８４を所望の位置まで回動させた状態を手で保持することにより、打玉を一定の速度で弾発することが可能となる。なお、図示の実施例におけるハンドル装置８０は、取付基板８１（又は枠基体１０）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
【００２６】
（１−８）枠基体の裏面構造
枠基体１０の前面側構造及び前面側に取付けられる各部品の構造は、概ね上記した通りであるが、枠基体１０の裏面構造について図８を参照して説明する。前述したように、枠基体１０の裏面側には、遊技盤収納枠１２が合成樹脂によって一体的に成形されている。しかして、遊技盤収納枠１２は、遊技盤１００を支持し且つ固定するものであるため、遊技盤１００を正確に固定するための部品を有する。また、遊技盤収納枠１２は、遊技盤１００の裏面に設けられて所定個数の景品玉を払い出すための各種の機構が設けられる機構板９０を正確に取付けるための部品も有する。具体的には、遊技盤１００を収納固定する部品として複数の遊技盤基準ピン１８０（図１０参照）と複数の固定手段１８３（図１１参照）とがある。遊技盤基準ピン１８０は、遊技盤１００を遊技盤収納枠１２に装着する際に遊技盤１００の特定の位置に形成された基準位置穴１８１に係合させるものであり、これにより遊技盤１００を遊技盤収納枠１２の正確な位置に装着することができるものである。なお、枠基体１０における遊技盤収納枠１２の成形部位には、図１０に示すように、空洞部１８２が設けられている。この空洞部１８２は、遊技盤収納枠１２の一体成形において枠基体１０の表面側にヒケ（成形時の変形）が発生するのを防止するためのものであり、枠基体１０の成形時にガスを注入するガスインジェクション成形法により形成されるものである。また、固定手段１８３は、一端側が遊技盤収納枠１２に取付け固定され且つ他端側に螺合溝が形成されたボルトピン１８４と、該ボルトピン１８４に挿通されたワッシャ１８５、固定フック１８６、及びスプリング１８７と、ボルトピン１８４に螺着されたナット１８８と、から構成されている。そして、遊技盤１００を遊技盤収納枠１２に正確に装着した状態で、固定手段１８３の固定フック１８６を回動することにより、遊技盤１００の裏面から押圧して遊技盤１００を遊技盤収納枠１２に堅固に固定するようになっている。
【００２７】
一方、機構板９０を取付けるための部品としては、固定ピン９１と上下一対のヒンジ部材９２・９３とがある。ヒンジ部材９２・９３は、枠基体１０の軸支側の裏面に対応する遊技盤収納枠１２の上下に固着される金属製のものであり、このヒンジ部材９２・９３に機構板９０の端部上下に設けられる軸支部（図示しない）を係合させることにより機構板９０を開閉自在に且つ着脱自在に設けることができる。また、機構板９０を閉じた状態で固定ピン９１が機構板９０に形成された係合穴を通過して先端部が機構板９０の裏面に突出し、その突出した部分を機構板９０に回動自在に軸支される係止部材９４で係止することにより、機構板９０を遊技盤１００の裏面に密着した状態で係止することができる。
【００２８】
（１−９）遊技盤
次に、遊技盤収納枠１２に収納固定される遊技盤１００の構成について簡単に説明する。遊技盤１００は、図９に示すように、ほぼ正方形状の合板により形成され、その表面には、円形うず巻き状に誘導レール１０１が形成され、該誘導レール１０１の内側が遊技領域１０２とされて発射された打玉が落下するものである。遊技領域１０２には、図示の場合、可変表示装置１０３や可変入賞球装置１０４が設けられると共に、単に打玉を入賞とする入賞口、打玉の流下方向・速度を変化せしめる風車又は多数の障害釘が設けられ、また、遊技領域１０２の最下方には、いずれの入賞領域にも入賞しない打玉が取り込まれるアウト口１０５が設けられている。また、遊技盤１００の表面には、ビス止め固定された各種のシール添付部材１０６・１０７・１０８を介して機種名シール１０９、アミューズメントシール１１０、及び証紙シール１１１が取付けられている。
【００２９】
一方、遊技盤１００の裏面には、図８に示すように、前記可変表示装置１０３の後面構造物である表示装置収納ボックス１１２が表示装置取付金具１１３によって遊技盤１００の裏面に直接的に止着され、該表示装置収納ボックス１１２の周囲を囲むように入賞玉集合カバー体１１４が取付けられている。入賞玉集合カバー体１１４は、各種の入賞口や入賞球装置に入賞した入賞玉を所定の流路にしたがって誘導する誘導径路が形成されるものである。また、入賞玉集合カバー体１１４の裏面には、遊技盤１００に配置される入賞口や入賞球装置等に付設されるスイッチや装飾用発光源の電装部品の配線が接続される第１中継基板１１５と第２中継基板１１６（これらを１つの中継基板にまとめたものでも良い）とが取付けられている。第１中継基板１１５と第２中継基板１１６は、遊技盤１００に設けられる電装部品と後述する遊技制御基板１１８とを中継するために設けられるものである。更に、遊技盤１００の裏面には、前記アウト口１０５に対応する位置の下流側にアウト玉通路（図示しない）が刻設され、このアウト玉通路に沿ってアウト玉が下方に導かれる。アウト玉通路から下方に導かれたアウト玉は、前記遊技盤収納枠１２の下辺ほぼ中央に形成される玉誘導通路（図示しない）から機構板９０に形成されるアウト玉排出通路（図示しない）に導かれるようになっている。
【００３０】
（１−１０）機構板
一方、上記した遊技盤１００の裏面を覆う機構板９０は、図８に示すように、前記入賞玉集合カバー体１１４と対応する部分に方形状の開口９５が形成され、機構板９０が閉じられたときに、前記表示装置収納ボックス１１２が後方に貫通し得るようになっている。また、機構板９０の前面側には、主として前記入賞玉集合カバー体１１４に形成された誘導径路に沿って流下した入賞玉を集合せしめる入賞玉集合樋（図示しない）が形成されるが、機構板９０の後面側には、その最上部に景品玉として供される多量の玉を貯留する貯留タンク９６が取着され、該貯留タンク９６の下方に貯留タンク９６から流出する玉を複数列（例えば、２列）に整列しながら流下せしめる誘導通路９７が傾斜状に設けられ、該誘導通路９７の末端に前記開口９５の側方に配置され且つ前記誘導通路９７からの整列された玉を受け入れて入賞玉信号に基づいて所定個数の景品玉を払い出す景品玉払出装置９８が接続されている。景品玉払出装置９８から払い出された景品玉は、下流側に設けられる景品玉流出口（図示しない）から前記上皿連通口１３及び景品玉排出口４５を介して上皿４０の貯留誘導部４９に導かれる。上皿４０が景品玉で満杯となったときには、景品玉流出口の側方から下方部にかけて形成される余剰玉通路９９に溢れて下方に流下し、その余剰玉通路９９の末端に接続される前記玉誘導路３４から前記下皿６０の玉受部材６６に導かれる。なお、前記景品玉払出装置９８は、前記入賞玉集合樋に集められた入賞玉を１個ずつ処理する入賞玉処理装置（図示しない）が入賞玉を検出することにより駆動されるものである。
【００３１】
機構板９０の概の構成は、上記した通りであるが、図示の実施例では、機構板９０の裏面上部にターミナルボックス１１７が設けられ、更に、開口９５の下部に遊技制御基板１１８が着脱自在に取付けられている。ターミナルボックス１１７は、弾球遊技機１に電源を供給する電源線や弾球遊技機１と遊技場の管理コンピュータ（図示しない）との情報信号をやり取りするための端子等が設けられるものであり、遊技制御基板１１８は、遊技盤１００に設けられる可変表示装置１０３や可変入賞球装置１０４等の動作を制御するものである。このため、遊技制御基板１１８には、前記第１中継基板１１５及び第２中継基板１１６からの配線や、可変表示装置１０３からの配線が接続されるようになっている。なお、機構板９０を開閉する際には、これらの配線の接続を取り外すことが必要となる。
【００３２】
（１−１１）枠基体のその他の裏面構成
枠基体１０のその他の裏面構成としては、図８に示すように、枠基体１０の裏面下部一側に発射装置１２０が取付けられている。この発射装置１２０は、取付基板１２１に打玉を弾発する打球槌１２２と、該打球槌１２２に往復回動動作を付与する打球モータ１２３等を集約して設けることにより構成されており、前記ハンドル装置８０と関連づけられている。また、発射装置１２０の設置位置と反対側には、透明板保持枠１３０に設けられる電装部品の動作を制御し且つスピーカ１５５の音量を段階的に調整する音量調整スイッチ１２５を含む電飾制御基板１２４が取付けられている。そして、この電飾制御基板１２４と透明板保持枠１３０に設けられる電装部品とを接続する配線が乱雑にならないように枠基体１０の軸支側裏面一側には、配線処理部材１２６が設けられている。この配線処理部材１２６は、枠基体１０と一体的に成形しても良いし、あるいは別体の処理部材を止着しても良い。また、配線処理部材１２６の形状は、配線をまとめることができるものであればどのような形状・構造のものであっても良い。更に、枠基体１０の開放側裏面には、外枠２に対する枠基体１０の施錠、及び枠基体１０に対する透明板保持枠１３０の施錠を行う錠装置１９０が取付けられるが、この錠装置１９０については、後に詳述する。
【００３３】
（２）透明板保持枠
弾球遊技機１の概の構成は、上記した通りであるが、以下には、本実施例の要部を構成する透明板保持枠１３０の構成について図１３乃至図１５を参照して詳細に説明する。図１３は、透明板保持枠１３０の正面から見た分解斜視図であり、図１４は、透明板保持枠１３０の拡大正面図であり、図１５は、透明板保持枠１３０の拡大背面図である。
【００３４】
透明板保持枠１３０は、前記遊技盤１００の遊技領域１０２を透視し得るガラス１３１を装着し得るものであると共に、本実施例においては、特に装飾効果及び強度を高め得るように構成されたものである。しかして、本実施例における透明板保持枠１３０は、主枠構成部材１３２と、該主枠構成部材１３２の前面側に装着されて遊技状態等に応じて照明装飾する各種の照明装飾部材と、主枠構成部材１３２の前面側に装着される各補強枠部材１７１・１７２と、を備えている。なお、主枠構成部材１３２には、前記ガラス１３１、遊技時の効果音等を発生する左右一対のスピーカ１５５、及び該スピーカ１５５の前面を被覆する金網状のスピーカカバー１５６も取付け固定されるものである。そこで、以下、透明板保持枠１３０を構成する構成部材毎に順次説明する。
【００３５】
（２−１）主枠構成部材
まず、主枠構成部材１３２について説明する。主枠構成部材１３２は、図１３及び図１４に示すように、ほぼ正方形状の合成樹脂板からなり、その中央部には遊技開口を規制する円形状の開口１３３が形成されている。なお、主枠構成部材１３２の左側上端には、前記上ヒンジ部材２９のヒンジ支持部３０との干渉を回避するための切欠部１３２ａが形成されている。主枠構成部材１３２の前面側の上辺部には、照明装飾部材としてのＬＥＤ基板１５７、ＬＥＤカバー１５８、ランプ基板１５９、及びランプカバー１６２の組付け位置を一義的に決める取付凹部１３４が刻設されている。これにより、ＬＥＤ基板１５７、ＬＥＤカバー１５８、ランプ基板１５９、及びランプカバー１６２の組付けの容易化を図ることができる。なお、取付凹部１３４内には、ＬＥＤ基板１５７の電気配線を主枠構成部材１３２の裏面側に引き出すための引出口１３４ａが左右２箇所に開設されている。また、取付凹部１３４の左右側方には、それぞれスピーカ１５５設置用のスピーカ効果穴１３５が開設されると共にスピーカカバー１５６取付け用の取付凹部１３６が刻設されている。また、左側（軸支側）のスピーカ効果穴１３５と取付凹部１３４との間には、照明装飾部材としての各ＬＥＤ基板１６５・１６７を取付けるための取付穴１３７ａ・１３７ｂが開設されている。また、主枠構成部材１３２の左右の各側辺部には、照明装飾部材としての各ランプ基板１６０・１６１を取付けるための取付穴１３８ａ・１３８ｂ・１３９ａ・１３９ｂが前記開口１３３に沿った円弧状にて開設されている。さらに、主枠構成部材１３２の下辺部の左右２箇所には、半円形状の窓１４０ａ・１４０ｂが開設されており、該窓１４０ａ・１４０ｂには、前記遊技盤１００の各シール１１０・１１１が視認できるように、透明材料からなる窓カバー部材１４１ａ・１４１ｂが主枠構成部材１３２の裏面からビス止め固定されている。
【００３６】
一方、主枠構成部材１３２の裏面側の構造においては、図１５に示すように、前記取付凹部１３４の裏面側に配線収納金具１４２がビス止め固定されると共に、軸支側裏面の上部及び下部に補強金属板１４３・１４４が、また開放側裏面の上部に補強金属板１４５がそれぞれビス止め固定されるようになっている。なお、配線収納金具１４２は、電気配線の収納機能に加えて透明板保持枠１３０の補強機能をも合せ持つものである。補強金属板１４３・１４５には、それぞれスピーカ１５５取付け用の取付穴１４３ａ・１４５ａが穿設されており、補強金属板１４４には、配線挿通用の挿通穴１４４ａが穿設されている。また、補強金属板１４３には、前記上ヒンジ部材２９と係合するヒンジピン１４６がスプリング１４７（図１３参照）により上下動可能に設けられる一方、補強金属板１４４の下端に位置する主枠構成部材１３２の裏面には、前記下ヒンジ部材２７と係合するヒンジ金具１４８がビス止め固定されている。また、主枠構成部材１３２の裏面における開放側辺部及び下辺部には、各々、細長形状の補強金具１４９・１５０がビス止め固定されており、補強金具１４９の長手方向における上下２箇所には、前記枠基体１０に形成された上下一対のフック連通穴２１に挿通される錠フック１４９ａが設けられている。なお、主枠構成部材１３２の裏面には、前記取付穴１７・１８の各検出器１９に対応するスイッチ押圧部１３２ｂ・１３２ｃが突設されており、該スイッチ押圧部１３２ｂ・１３２ｃに対応する補強金属板１４４・１４５の各部位には、後方に突出した各スイッチ押圧部１３２ｂ・１３２ｃを貫通せしめるスイッチ挿通穴１４４ｂ・１４５ｂが穿設されている。また、主枠構成部材１３２の取付凹部１３４の下部裏面側には、前記ＬＥＤ基板１５７及びランプ基板１５９の熱抜き開口１３２ｄが４箇所に開設されている。
【００３７】
ところで、前記補強金属板１４３・１４４及び補強金具１４９・１５０には、それぞれ防犯用フランジ辺部１４３ｂ・１４４ｃ・１４９ｂ・１５０ａが後方に向かって突設形成されている。この防犯用フランジ辺部１４３ｂ・１４４ｃ・１４９ｂ・１５０ａは、透明板保持枠１３０を枠基体１０に対して閉じた状態で、枠基体１０の前面に当接した状態となり透明板保持枠１３０と枠基体１０との隙間からピアノ線等の不正具が挿入するのを防止するようになっている。なお、配線収納金具１４２、補強金属板１４３〜１４５、及び補強金具１４９・１５０は、各々、接続状態にて主枠構成部材１３２に取付けられているため、いずれか任意の位置でアース線と接続しておけば、透明板保持枠１３０のいずれの場所で漏電又は静電気が生じていてもそれらをアースして高電圧による障害を防止することも可能である。
【００３８】
（２−１−１）ガラスの取付構造
また、主枠構成部材１３２の裏面には、図３に示すように、斜め対角線状に複数（４つ）の金属製のガラス取付支持部材１５１が成形時に一体的に設けられている。ガラス取付支持部材１５１は、その先端部に係合溝１５１ａが周設されている。このように設けられるガラス取付支持部材１５１に対して、遊技開口よりも若干大きな直径で形成されるガラス収納部材１５２に２枚のガラス１３１を前後面より貼り合わせて構成したセットガラスが装着されるものであるが、その脱着は、極めて簡単に行うことができるようになっている。即ち、ガラス収納部材１５２には、その前面側に前記ガラス取付支持部材１５１を貫通する貫通穴１５３ａを有する取付片部１５３が一体的に形成され、該取付片部１５３の基部に止め金具１５４がビス止めされている。しかして、ガラス１３１を装着するには、ガラス取付支持部材１５１に取付片部１５３の貫通穴１５３ａを貫通させ、その状態で止め金具１５４を回動して係合溝１５１ａに係止させることによりガラス１３１を主枠構成部材１３２、即ち透明板保持枠１３０に装着することができる。一方、ガラス１３１を取り外す場合には、止め金具１５４を回動させて係合溝１５１ａとの係合を解除した後に、ガラス収納部材１５２全体をガラス取付支持部材１５１から引き抜くことによりガラス１３１を主枠構成部材１３２、即ち透明板保持枠１３０から取り外すことができる。なお、ガラス１３１の脱着は、組付け完成した透明板保持枠１３０を枠基体１０に対して開放した状態で行えることは言うまでもない。また、透明板としてガラスではなく透明な合成樹脂板等を使用したものでも良い。
【００３９】
（２−２）照明装飾部材
主枠構成部材１３２に取付けられる各種の照明装飾部材は、円弧状の基板本体を有するＬＥＤ基板１５７と、該ＬＥＤ基板１５７の前面を被覆するＬＥＤカバー１５８と、円弧状の基板本体を有する各ランプ基板１５９・１６０・１６１と、該ランプ基板１５９・１６０・１６１の前面を個々に被覆する各ランプカバー１６２・１６３ａ・１６３ｂ・１６４ａ・１６４ｂと、ＬＥＤ基板１６５と、該ＬＥＤ基板１６５に植設された複数のＬＥＤを個々に被覆するレンズ部１６６ａを有するレンズカバー体１６６と、ＬＥＤ基板１６７と、該ＬＥＤ基板１６７に植設された複数のＬＥＤを個々に被覆するレンズ部１６８ａを有するレンズカバー体１６８と、から構成されている。ＬＥＤ基板１５７及びランプ基板１５９は、それぞれ前記取付凹部１３４に上下２段にて主枠構成部材１３２の前方からビス止め固定され、ＬＥＤ及びランプの各カバー１５８・１６２は、それぞれ両端部に形成された係合爪１５８ａ・１６２ａが取付凹部１３４側の係止穴（図示しない）に係止されるようになっている。
【００４０】
また、ランプ基板１６０・１６１は、それぞれ主枠構成部材１３２の裏面側から前記取付穴１３８ａ・１３８ｂ・１３９ａ・１３９ｂにビス止め固定される一方、各ランプカバー１６３ａ・１６３ｂ・１６４ａ・１６４ｂは、それぞれ後述の補強枠部材１７１・１７２にビス止め固定されるようになっている。ＬＥＤ基板１６５・１６７は、個々に各レンズカバー体１６６・１６８に取付け固定され、レンズカバー体１６６・１６８は、それぞれ補強枠部材１７１にビス止め固定されるようになっている。なお、ＬＥＤ基板１５７及び各ランプ基板１５９・１６０・１６１の基板表面（ＬＥＤあるいはランプの配設面）には、それぞれ白色塗料が塗られ、発光を前方（遊技者側）に反射し得るようになっている。また、各ランプ基板１６０・１６１の裏面側には、それぞれ基板カバー１６９・１７０が一体的にビス止め固定され、各基板１６０・１６１を裏面側から保護するようになっている。なお、ＬＥＤ基板１６５は、例えば、入賞玉が発生したことに基づいて払出される景品玉の払出し時に表示駆動され、また、ＬＥＤ基板１６７は、前記貯留タンク９６に貯留される景品玉量が不足したときに表示駆動される等のように、各種照明装飾部材は、それぞれ遊技内容に応じて前記電飾制御基板１２４の制御に基づいて照明装飾されるものである。
【００４１】
（２−３）補強枠部材（カバー部材）
次に、上記した主枠構成部材１３２に取付けられるカバー部材としての補強枠部材１７１・１７６について説明する。補強枠部材１７１・１７６は、相互にほぼ左右対称形状の合成樹脂板からなり、外周面にはメッキ処理が施されている。補強枠部材１７１は、図１３に示すように、右側端部が前記主枠構成部材１３２の開口１３３に沿った円弧状に形成され、その近傍には前記ランプカバー１６３ａ・１６３ｂを取付けるための各取付穴１７２ａ・１７２ｂが円弧状にて穿設されている。また、補強枠部材１７１の上側には、前記スピーカカバー１５９を取付けるための取付穴１７３と、レンズカバー体１６６・１６８の各レンズ部１６６ａ・１６８ａを貫通するための複数の貫通穴１７４と、が穿設されている。なお、補強枠部材１７１の左側上端には、主枠構成部材１３２と同様に、前記上ヒンジ部材２９との干渉回避用の切欠部１７５が形成されている。
【００４２】
一方、補強枠部材１７６は、左側端部が前記主枠構成部材１３２の開口１３３に沿った円弧状に形成され、その近傍には前記ランプカバー１６４ａ・１６４ｂを取付けるための各取付穴１７７ａ・１７７ｂが円弧状にて穿設されている。また、補強枠部材１７６の上側には、前記スピーカカバー１５９を取付けるための取付穴１７８が穿設されている。そして、上記のような補強枠部材１７１・１７６は、それぞれ裏面側に突設されたビス止めボス１７１ａ・１７６ａを介して主枠構成部材１３２に取付け固定されるようになっている。
【００４３】
（２−４）透明板保持枠の開閉構造
以上、説明した主枠構成部材１３２に補強枠部材１７１・１７６等を組合せて構成される透明板保持枠１３０は、図１及び図２に示すように、枠基体１０の横幅寸法とほぼ同じ寸法を有し、このため、遊技者の正面からの視野においては、枠基体１０の上方部で枠基体１０を視認することはできず透明板保持枠１３０が視認されることとなる。そして、透明板保持枠１３０は、枠基体１０に対して開閉自在に設けられることは、前述した通りであり、透明板保持枠１３０は、上端部をヒンジピン１４６とヒンジ支持部３０の係合穴３０ａとの軸受状態で、下端部をヒンジ金具１４８の係合穴１４８ａと中ヒンジ部材２６のヒンジピン２８との軸受状態でそれぞれ開閉自在に設けられるものであるが、下端部のヒンジ金具１４８の係合穴１４８ａの外側には、図示しない係合突部が突設され、一方、中ヒンジ部材２６の垂直辺部の外側にも図示しない係合部が立設形成されている。しかして、透明板保持枠１３０を開放したときには、ヒンジ金具１４８の係合突部が中ヒンジ部材２６の係合部に当接してそれ以上開放できないようになっており、これにより透明板保持枠１３０を勢いよく開放してもガラス１３１が破損したり、あるいは透明板保持枠１３０の表面に設けられる各種構成部材が破損したりすることはない。
【００４４】
（２−５）透明板保持枠の施錠構造
透明板保持枠１３０は、上記したように枠基体１０に対して開閉自在に設けられるが、通常の使用時においては、これを閉じておかなければならないので、当然のことながら開放側を施錠する必要がある。このため、図２に示すように、枠基体１０の開放側裏面に錠装置１９０が取付けられている。なお、錠装置１９０は、透明板保持枠１３０の施錠ばかりでなく、枠基体１０の外枠２に対する施錠をも行うことができる、いわゆるＷ錠となっている。そこで、この錠装置１９０について図２及び図１２を参照して説明する。錠装置１９０は、断面Ｌ字型に形成される取付基板１８１に集約して形成され、取付基板１８１の一方辺が枠基体１０への取付面１９１ａをなしている。該取付面１９１ａの下方寄りには、シリンダー錠１９２が取付けられている。
【００４５】
取付基板１８１の他方辺には、取付基板１８１に対して上下動可能なように可動部材（図示しない）が取付けられており、該可動部材の上端部及び下端部には、それぞれ錠フック１９３が設けられている。錠フック１９３の先端は、錠フック１９３に向けて傾斜する誘導傾斜部１９４となっているが、これは、枠基体１０を押して閉じるときに外枠２の内側上下に固定される係止金具６に当接案内されながら最終的に錠フック１９３と係止金具６とを係合させるためのものである。なお、下方の誘導傾斜部１９４には、側方に突出する操作部１９５が突設されており、手の操作で可動部材を上昇せしめるときに使用するものである。また、可動部材は、取付基板１８１との間に張架されたスプリング（図示しない）により常時下方に付勢されている。
【００４６】
一方、取付基板１８１の一方辺（取付面１９１ａ）にも、前記可動部材と同様の作動部材（図示しない）が上下動可能に取付けられている。該作動部材は、スプリング（図示しない）により常時上方に付勢されており、その中央部には、手動操作用の操作部１９６が突設されている。また、取付面１９１ａには、その上端部と中央よりやや下方に長方形状の連通口１９７が開設されており、該連通口１９７に対応する作動部材の部位には、図示しない係合開口が開設されている。なお、連通口１９７及びこれに対応する係合開口には、透明板保持枠１３０の開放側に設けられる錠フック１４９ａが貫通するものである。
【００４７】
上記のように構成される錠装置１９０の作用について簡単に説明する。まず、外枠２に対する枠基体１０の解錠及び施錠について説明すると、遊技場の店員がシリンダー錠１９２に図示しない所定の鍵を差し込んで時計回転方向に回すと、スプリングの付勢力に抗して可動部材が上昇され、これに伴って錠フック１９３も上昇される。このため、錠フック１９３と外枠２の係止金具６とが係合位置関係となっていないので、その状態でシリンダー錠１９２に差し込んだままの鍵を引っ張ることにより枠基体１０全体を回動させて開放することができる。一方、開放した枠基体１０を閉じるときには、そのまま枠基体１０を押し込むことにより錠フック１９３の誘導傾斜部１９４と係止金具６との当接により可動部材がスプリングの付勢力に抗して上昇し、遂には、錠フック１９３が係止金具６と係合する位置でスプリングの付勢力により可動部材が下降して錠フック１９３と係止金具６とが完全に施錠された状態となる。
【００４８】
次に、枠基体１０に対する透明板保持枠１３０の解錠及び施錠について説明すると、遊技場の店員がシリンダー錠１９２に図示しない所定の鍵を差し込んで反時計回転方向に回すと、スプリングの付勢力に抗して作動部材が下降する。このため、作動部材の係合開口と錠フック１４９ａとの係合が解除されて透明板保持枠１３０が開放される。一方、開放した透明板保持枠１３０を閉じるときには、そのまま透明板保持枠１３０を押し込むことにより錠フック１４９ａが枠基体１０に形成されたフック連通穴２１を貫通して錠装置１９０の連通口１９６に侵入し、上昇している作動部材の係合開口の一部に侵入する。その状態でさらに押し込むことにより錠フック１４９ａの先端下辺の傾斜部と係合開口との当接により作動部材がスプリングの付勢力に抗して上昇し、遂には、係合開口が錠フック１４９ａと係合する位置でスプリングの付勢力により作動部材が上昇して錠フック部１４９ａと係合開口とが完全に施錠された状態となる。なお、透明板保持枠１３０を解錠する場合には、枠基体１０を開放した状態で操作部１９６を押し下げることによっても行うことができる。
【００４９】
以上、透明板保持枠１３０を構成する部材の詳細な説明をしてきたが、これらの構成部材を組付けて完成される透明板保持枠１３０は、前述したように枠基体１０の横幅寸法と同じ横幅寸法を有するため、図１に示すように、弾球遊技機１の正面上部は、透明板保持枠１３０と該透明板保持枠１３０のガラス１３１を介して視認し得る遊技盤１００の遊技領域１０２とが遊技者の視野に入る。そして、この場合、透明板保持枠１３０における正面構造において主枠構成部材１３２の左右前面に本発明におけるカバー部材をなす補強枠部材１７１・１７６が装着されているので、透明板保持枠１３０は、基本的に二重基板の構造を持つことになる。このため、透明板保持枠１３０の強度が向上でき、タバコやライター等の発熱具による不正の穴空け行為を防止することができる。
【００５０】
また、本実施例では、枠基体１０に開閉自在に設けた上皿４０の左右両側には各カバー部材５１・５４・５６が、枠基体１０に固設した下皿６０の側方にはカバー部材７９が、また外枠２の左右両側にはカバー部材５ａ・５ｂが、それぞれ装着されているので、透明板保持枠１３０と同様に弾球遊技機１の前面側に配置される構成部材の強度が向上でき、ひいては弾球遊技機１全体における穴空けの不正行為を防止することができる。また、穴空けの不正行為を防止するカバー部材の装着部位は、本実施例記載の部位に限定するものではなく、弾球遊技機の構成に応じて適宜変更することも可能である。なお、以上のように穴空けの不正行為を防止する各カバー部材は、それぞれ弾球遊技機１の左右の前面側に装着されることで、最終的には枠基体１０、上皿４０、あるいは透明板保持枠１３０の開閉機構（ヒンジや錠装置等）に対する不正を防止するようになっている。また、カバー部材は、各々、合成樹脂によって所望の形状に形成されると共に、外周面にはメッキ処理が施されているため、弾球遊技機１の前面は、上端部から下端部にかけて統一的且つ近未来的な意匠をなし、弾球遊技機１全体の視覚的な興趣の向上を可能にしている。
【００５１】
なお、上記実施例は、本発明を限定するものではなく、本発明の範囲内で種々の変更が可能である。例えば、上記実施例では、透明板保持枠１３０の開口１３３を遊技盤１００の遊技領域１０２の形状と合致する円形としているが、必ずしも開口１３３の形状を遊技領域１０２の形状に合致させる必要はなく、従来形状である四角形、あるいは五角形や六角形等の多角形状に開口１３３を構成しても良い。
【図面の簡単な説明】
【００５２】
【図１】実施例に係る弾球遊技機の正面図である。
【図２】枠基体の分解斜視図である。
【図３】透明板保持枠を開放した状態を示す斜視図である。
【図４】上皿の分解斜視図である。
【図５】下皿及び灰皿の分解斜視図である。
【図６】灰皿の断面図である。
【図７】同図（Ａ）（Ｂ）は、各々、灰皿の回転動作を示す説明図である。
【図８】遊技盤及び機構板を取付けた状態での枠基体の背面図である。
【図９】遊技盤を示す拡大正面図である。
【図１０】図１のＡ−Ａ線矢視断面図である。
【図１１】図１のＢ−Ｂ線矢視断面図である。
【図１２】図１のＣ−Ｃ線矢視断面図である。
【図１３】透明板保持枠の分解斜視図である。
【図１４】透明板保持枠の拡大正面図である。
【図１５】透明板保持枠の拡大背面図である。
【符号の説明】
【００５３】
１  弾球遊技機
２  外枠
５ａ・５ｂ・５１・５４・５６・７９  カバー部材
１０  枠基体
１１  開口部
４０  上皿（打球供給皿）
４１  取付基板
６０  下皿
７４  灰皿
８０  ハンドル装置
９０  機構板
１００  遊技盤
１２０  発射装置
１３０  透明板保持枠
１３１  ガラス
１３２  主枠構成部材
１３３  開口
１５５  スピーカ
１５７・１６５・１６７  ＬＥＤ基板
１５９・１６０・１６１  ランプ基板
１７１・１７６  補強枠部材（カバー部材）
５９・１９０  錠装置